(57)【要約】【課題】第１の遊技部品に第２の遊技部品を取り付ける際の作業性を向上させる。【解決手段】本発明の遊技機では、第２の遊技部品を第１の遊技部品に取り付ける際には、第１の遊技部品に対する第２の遊技部品の移動を制限する位置決めを行う。そして、このような位置決めとして、第１の遊技部品に対する第２の遊技部品の移動を第１の範囲に制限し、第２の遊技部品の移動が第１の範囲に制限された状態にて第２の遊技部品の移動を第１の範囲よりも狭い第２の範囲に制限する。【選択図】図９
2018086318.tif 000002
【特許請求の範囲】
【請求項１】
遊技媒体を利用して遊技を行う遊技機であって、
第１の遊技部品と、
前記第１の遊技部品に取り付けられた第２の遊技部品と、
前記第１の遊技部品および前記第２の遊技部品のうち、一方に設けられた第１の被挿入部と、他方に設けられると共に前記第１の被挿入部に挿入された第１の挿入部と、
前記第１の遊技部品および前記第２の遊技部品のうち、一方に設けられた第２の被挿入部と、他方に設けられた複数の第２の挿入部および該複数の第２の挿入部を互いに連結するリブ部と、
を備え、
前記第２の被挿入部の開口部は前記複数の第２の挿入部および前記リブ部を受け入れ可能な形状を有し、前記複数の第２の挿入部および前記リブ部は前記第２の被挿入部に挿入されており、
前記複数の第２の挿入部の先端部と前記リブ部の先端部とは面一に形成されており、
前記第１の遊技部品に前記第２の遊技部品が取り付けられる前において、
前記第１の被挿入部に前記第１の挿入部が挿入されている状態、且つ、前記第２の被挿入部に前記第２の挿入部が挿入されていない状態では、前記第１の被挿入部の内壁と前記第１の挿入部の外壁との間隔は第１の長さであり、
前記第１の被挿入部に前記第１の挿入部が挿入されている状態、且つ、前記第２の被挿入部に前記第２の挿入部が挿入されている状態では、前記第２の被挿入部の内壁と前記第２の挿入部の外壁との間隔は前記第１の長さより短い第２の長さであり、
前記第２の挿入部の先端部には第１の締結穴が開口されて設けられており、前記第２の被挿入部の底部には第２の締結穴が開口されて設けられており、前記第１の締結穴と前記第２の締結穴とに締結部材が締結されることによって、前記第１の遊技部品に前記第２の遊技部品が取り付けられている
ことを特徴とする遊技機。
【発明の詳細な説明】
【技術分野】
【０００１】
本発明は、遊技球や遊技メダル等の遊技媒体を利用して遊技を行う遊技機に関する。
【背景技術】
【０００２】
遊技機としては、遊技盤に形成された遊技領域に向けて遊技球を発射することによって遊技を行うパチンコ機や、外周面に複数種類の図柄が描かれた回胴を回転させ、該回胴を停止させることによって遊技を行うスロットマシンなどが知られている。これらのような遊技機は、複数の遊技部品を組み合わせることによって製造される。例えば、パチンコ機であれば、遊技の進行や演出に係る種々の遊技部品が遊技盤に取り付けられる（特許文献１）。
【０００３】
このような遊技機の製造過程においては、第１の遊技部品に第２の遊技部品を取り付けるに際して、第１の遊技部品に対する第２の遊技部品の移動の範囲を制限（取り付け位置を大まかに決定）した後（いわゆる位置決めをした後）、第１の遊技部品に第２の遊技部品を固定することがある。例えば、遊技領域に形成された遊技盤（第１の遊技部品）に、遊技盤の背面を覆う裏パック（第２の遊技部品）を取り付ける場合は、次のような作業を行う。先ず、裏パックの四隅に設けられた位置決めボスを、遊技盤の四隅に設けられた位置決め穴に挿入することで位置決めを行う。この位置決めを行うと、遊技盤および裏パックの双方に設けられたビス穴（締結穴）が重なるので、続いて、この重なったビス穴（締結穴）にビス（締結部材）を締結させることで、裏パックを遊技盤に固定する。
【先行技術文献】
【特許文献】
【０００４】
【特許文献１】特開２０１４−２１２８９８号公報
【発明の概要】
【発明が解決しようとする課題】
【０００５】
しかしながら、上述の遊技機では、遊技盤（第１の遊技部品）に裏ユニット（第２の遊技部品）を取り付ける際の作業性が低いという問題があった。すなわち、上述の遊技機において、位置決め穴の径と位置決めボスの径との差が大きい場合は、位置決めをしても、遊技盤（第１の遊技部品）に対する裏ユニット（第２の遊技部品）の移動の範囲が十分に制限されず、双方に設けられたビス穴（締結穴）が重ならないことがある。この場合は、ビス穴（締結穴）にビス（締結部材）を締結させることが困難になってしまう。一方、位置決め穴の径と位置決めボスの径との差が小さいと、そもそも位置決め穴に位置決めボスを挿入すること、すなわち、位置決め作業自体が困難になってしまう。このため、上述の遊技機では、位置決め穴や位置決めボスの径に拘わらず、遊技盤（第１の遊技部品）に裏ユニット（第２の遊技部品）を取り付ける際の作業性が低いという問題があった。
【０００６】
本発明は、上述した課題を解決するためになされたものであり、第１の遊技部品に第２の遊技部品を取り付ける際の作業性を向上させることができる遊技機を提供することを目的とする。
【課題を解決するための手段】
【０００７】
上述した課題の少なくとも一部を解決するために、本発明の遊技機は次の構成を採用した。すなわち、
遊技媒体を利用して遊技を行う遊技機であって、
第１の遊技部品と、
前記第１の遊技部品に取り付けられた第２の遊技部品と、
前記第１の遊技部品および前記第２の遊技部品のうち、一方に設けられた第１の被挿入部と、他方に設けられると共に前記第１の被挿入部に挿入された第１の挿入部と、
前記第１の遊技部品および前記第２の遊技部品のうち、一方に設けられた第２の被挿入部と、他方に設けられた複数の第２の挿入部および該複数の第２の挿入部を互いに連結するリブ部と、
を備え、
前記第２の被挿入部の開口部は前記複数の第２の挿入部および前記リブ部を受け入れ可能な形状を有し、前記複数の第２の挿入部および前記リブ部は前記第２の被挿入部に挿入されており、
前記複数の第２の挿入部の先端部と前記リブ部の先端部とは面一に形成されており、
前記第１の遊技部品に前記第２の遊技部品が取り付けられる前において、
前記第１の被挿入部に前記第１の挿入部が挿入されている状態、且つ、前記第２の被挿入部に前記第２の挿入部が挿入されていない状態では、前記第１の被挿入部の内壁と前記第１の挿入部の外壁との間隔は第１の長さであり、
前記第１の被挿入部に前記第１の挿入部が挿入されている状態、且つ、前記第２の被挿入部に前記第２の挿入部が挿入されている状態では、前記第２の被挿入部の内壁と前記第２の挿入部の外壁との間隔は前記第１の長さより短い第２の長さであり、
前記第２の挿入部の先端部には第１の締結穴が開口されて設けられており、前記第２の被挿入部の底部には第２の締結穴が開口されて設けられており、前記第１の締結穴と前記第２の締結穴とに締結部材が締結されることによって、前記第１の遊技部品に前記第２の遊技部品が取り付けられている
ことを特徴とする。
【発明の効果】
【０００８】
本発明によれば、第１の遊技部品に第２の遊技部品を取り付ける際の作業性を向上させることができる。
【図面の簡単な説明】
【０００９】
【図１】本実施例のパチンコ機の正面図である。
【図２】本実施例の遊技盤の盤面構成（前面側）を示す説明図である。
【図３】本実施例の遊技盤の後面側を示す説明図である。
【図４】本実施例のパチンコ機における制御回路の構成を示すブロック図である。
【図５】本実施例のセグメント表示部の構成を示す説明図である。
【図６】本実施例の演出表示装置４１の表示内容を例示する説明図である。
【図７】本実施例の遊技盤に裏ユニットが取り付けられる様子を示す後方斜視図である。
【図８】本実施例の遊技盤に裏ユニットが取り付けられる様子を示す前方斜視図である。
【図９】本実施例の締結部位２０Ａ、締結部位７０Ａの斜視図である。
【図１０】本実施例の締結部位２０Ａ、締結部位７０Ａの断面図である。
【図１１】本実施例の締結部位２０Ａに締結部位７０Ａが取り付けられる様子を示す断面図である。
【図１２】本実施例の締結部位２０Ｄ、締結部位７０Ｄの斜視図である。
【図１３】本実施例の締結部位２０Ｅ、締結部位７０Ｅの斜視図である。
【図１４】変形例の締結部位２０Ｆ、締結部位７０Ｆの斜視図である。
【図１５】変形例の締結部位２０Ｆ、締結部位７０Ｆの断面図である。
【図１６】変形例の締結部位２０Ｆに締結部位７０Ｆが取り付けられる様子を示す断面図である。
【発明を実施するための形態】
【００１０】
上述した本発明の内容を明確にするために、本発明を「セブン機」や「デジパチ」と呼ばれるタイプのパチンコ機（遊技機）に適用した実施例について説明する。尚、実施例においては、特に断りがない限りは、パチンコ機正面に向かって右側を「右」と表現し、左側を「左」と表現する。
【００１１】
また、以下の実施例は次のような順序に従って説明する。
Ａ．パチンコ機の装置構成：
Ａ−１．装置前面側の構成：
Ａ−２．遊技盤の構成：
Ａ−３．制御回路の構成：
Ｂ．遊技の進行態様：
Ｃ．裏ユニットの取り付け態様：
Ｃ−１．遊技盤２０の締結部位２０Ａ、裏ユニット７０の締結部位７０Ａ：
Ｃ−２．遊技盤２０の締結部位２０Ｄ、裏ユニット７０の締結部位７０Ｄ：
Ｃ−３．遊技盤２０の締結部位２０Ｅ、裏ユニット７０の締結部位７０Ｅ：
Ｄ．変形例：
【００１２】
Ａ．パチンコ機の装置構成  ：
Ａ−１．装置前面側の構成  ：
図１は、本実施例のパチンコ機１の正面図である。図１に示すように、パチンコ機１の前面部には、前面枠４が設けられている。前面枠４は、一端（図１における左側）が中枠３に対して回動可能に軸支されている。中枠３の前面側には遊技盤２０（図２参照）が着脱可能に取り付けられており、前面枠４が中枠３に対してパチンコ機１前方側に回動（開放）されると、遊技盤２０が露出された状態となる。中枠３は、一端（図１における左側）が本体枠２に対して回動可能に軸支されている。本体枠２は、木製の板状部材を組み立てて構成された略長方形の枠体であり、パチンコ機１の外枠を形成している。
【００１３】
前面枠４の略中央部には窓部４ａが形成されており、この窓部４ａにはガラス板等の透明板４ｂが嵌め込まれている。遊技者は、窓部４ａ（透明板４ｂ）を通して奥側に配置される遊技盤２０の遊技領域２１（図２参照）を視認可能である。また、前面枠４における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０のセグメント表示部５０（図２参照）を視認可能である。詳しくは後述するが、セグメント表示部５０（図２参照）とは、複数のＬＥＤの組合せによって遊技に係る情報を表示する表示部である。
【００１４】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠４における窓部４ａの左右上方には上部スピーカー６ａが設けられており、本体枠２の下部の前面（いわゆる幕板）には下部スピーカー６ｂが設けられている。これらの上部ランプ５ａ、右サイドランプ５ｂ、左サイドランプ５ｃ、上部スピーカー６ａ、下部スピーカー６ｂは、遊技上の演出効果を高めるために駆動される。
【００１５】
前面枠４における窓部４ａの下方には、上皿部７が設けられている。上皿部７には、カードユニット２４２（図４参照）を介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００１６】
前面枠４における下皿部８の右方には、発射ハンドル９が設けられている。発射ハンドル９の回転軸は、発射ハンドル９の奥側に搭載された発射装置ユニット２６１（図４参照）に接続されている。この発射装置ユニット２６１には、上皿部７に貯留された遊技球が供給される。そして、遊技者が発射ハンドル９を回転させると、その回転が発射装置ユニット２６１に伝達され、発射装置ユニット２６１に内蔵された発射モーター２６２（図４参照）が回転して、回転角度に応じた強さで遊技球が発射される。
【００１７】
また、上皿部７の縁部には遊技者による押下操作が可能な演出ボタン１０ａが設けられており、下皿部８の左方には遊技者による押込操作や回転操作が可能なジョグシャトル１０ｂが設けられている。これらの演出ボタン１０ａやジョグシャトル１０ｂは、何れも遊技者によって操作される演出操作部であり、所定の条件成立時に遊技者によって操作されると、所定の遊技演出が行われる。
【００１８】
Ａ−２．遊技盤の構成  ：
図２は、遊技盤２０の盤面構成（前面側）を示す説明図である。前述したように、遊技盤２０は中枠３の前面側に着脱可能に取り付けられている。図２に示すように、遊技盤２０の中央には略円形状の遊技領域２１が形成されている。発射装置ユニット２６１（図４参照）から発射された遊技球は、外レール２２と内レール２３との間を通って遊技領域２１に放出された後、遊技領域２１を流下する。遊技領域２１は、前面枠４の窓部４ａを通して遊技者に視認されるので、当然ながら、遊技領域２１を流下する遊技球の様子も窓部４ａを通して遊技者に視認されることとなる。
【００１９】
遊技領域２１の略中央には中央装置４０が設けられており、中央装置４０のほぼ中央には、演出表示装置４１が設けられている。演出表示装置４１は液晶表示器によって構成されており、その表示画面上には、演出用の種々の画像を表示することが可能である。尚、演出表示装置４１の詳しい表示内容については、後述する遊技の進行態様において説明する。
【００２０】
遊技領域２１における中央装置４０（演出表示装置４１）の下方には、開口部の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサー２４ｓ（図４参照）が設けられており、第１始動口２４に入球した遊技球を検知可能である。
【００２１】
また、遊技領域２１における第１始動口２４の下方には、遊技球の入球可能性が変化する入球口（始動口）である第２始動口２５が設けられている。すなわち、第２始動口２５は、パチンコ機１の前後方向に回動可能な開閉扉２６を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。図２では、第２始動口２５が開放状態となっている様子が示されている。第２始動口２５に入球した遊技球は、内部に設けられた通路を通って遊技盤２０の裏面側に導かれる。第２始動口２５の内部の通路には第２始動口センサー２５ｓ（図４参照）が設けられており、第２始動口２５に入球した遊技球を検知可能である。
【００２２】
また、遊技領域２１において中央装置４０（演出表示装置４１）の右方には、普通図柄作動ゲート２７が設けられており、普通図柄作動ゲート２７の内部には、遊技球の通過を検知するゲートセンサー２７ｓ（図４参照）が設けられている。
【００２３】
また、遊技領域２１における第１始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態とに変化可能である。図２では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサー２８ｓ（図４参照）が設けられており、大入賞口２８に入球した遊技球を検知可能である。
【００２４】
また、上述した各遊技装置（遊技部品）の周辺には、遊技球が入球可能なその他入球口３０や、遊技球の流下経路に影響を与える風車型ホイール３１や多数の障害釘３２が設けられている。遊技領域２１の最下部であって第２始動口２５の左下方と右下方には、２つのアウト口３３が設けられており、上述した第１始動口２４、第２始動口２５、大入賞口２８、その他入球口３０の何れにも入球しなかった遊技球は、アウト口３３から遊技盤２０の裏側に排出される。
【００２５】
上述した第１始動口２４には、中央装置４０（演出表示装置４１）の左方の領域を流下する遊技球が入球可能である。これに対して、第２始動口２５、普通図柄作動ゲート２７、大入賞口２８には、中央装置４０（演出表示装置４１）の右方の領域を流下する遊技球が入球可能（または通過可能）である。以下では、中央装置４０（演出表示装置４１）の左方の領域を流下するように遊技球を発射させることを「左打ち」とも表現し、中央装置４０（演出表示装置４１）の右方の領域を流下するように遊技球を発射させることを「右打ち」とも表現する。尚、本実施例のパチンコ機１では、第１始動口２４、第２始動口２５、その他入球口３０の何れかに遊技球が入球した場合は、３個の遊技球が遊技者に払い出され、大入賞口２８に遊技球が入球した場合は、１３個の遊技球が遊技者に払い出される。
【００２６】
遊技盤２０における遊技領域２１の右下方には、ＬＥＤの組合せによって遊技に係る情報を表示するセグメント表示部５０が設けられている。セグメント表示部５０は、前面枠４に設けられた小窓部４ｃ（図１参照）を通して遊技者に視認される。尚、セグメント表示部５０の詳しい表示内容については、後述する遊技の進行態様において説明する。
【００２７】
遊技盤２０の後面側には、上述した遊技装置を動作させるための各種基板や、各種機構などが設けられている。例えば、図４を用いて後述する主制御基板２００やサブ制御基板２２０等の各種基板などが設けられている。また、遊技盤２０の後面側には、これらの各種基板や各種機構を覆うように裏ユニット７０が取り付けられている。図３には、遊技盤２０の後面側が示されており、図中のハッチング部分が裏ユニット７０である。裏ユニット７０は、前方（遊技盤２０側）が開放された箱状に形成されており、図３に示すように、遊技盤２０の後面側の略全領域を覆うように取り付けられている。裏ユニット７０の内部や外側には、各種基板や各種機構が取り付けられており、裏ユニット７０を遊技盤２０に取り付けることによって、これらの各種基板や各種機構も遊技盤２０の後面側に取り付けられることとなる。尚、本実施例のパチンコ機１は、遊技盤２０に裏ユニット７０を取り付ける態様に主な特徴を有する。そこで、この態様については後に（「Ｃ．裏ユニットの取り付け態様」欄にて）詳しく説明する。
【００２８】
Ａ−３．制御回路の構成  ：
次に、本実施例のパチンコ機１における制御回路の構成について説明する。図４は、本実施例のパチンコ機１における制御回路の構成を示すブロック図である。図示されているようにパチンコ機１の制御回路は、多くの制御基板や、各種基板、中継端子板などから構成されている。詳しくは、遊技の基本的な進行に係る制御を司る主制御基板２００や、遊技の演出に係る制御を司るサブ制御基板２２０、サブ制御基板２２０の制御下で画像の表示や音声の出力に係る制御を司る画像音声制御基板２３０、サブ制御基板２２０の制御下でランプの発光に係る制御を司るランプ制御基板２２６、遊技球の貸し出しや払い出しに係る制御を司る払出制御基板２４０、遊技球の発射に係る制御を司る発射制御基板２６０などから構成されている。これら制御基板は、各種論理演算および算出演算を実行するＣＰＵ（図４におけるＣＰＵ２０６、３０６、４０６等）や、ＣＰＵで実行される各種プログラムやデータが記憶されているＲＯＭ（図４におけるＲＯＭ２０７、３０７、４０７等）、プログラムの実行に際してＣＰＵが一時的なデータを記憶するＲＡＭ（図４における２０８、３０８、４０８等）、入出力用回路など、種々の周辺ＬＳＩがバスで相互に接続されて構成されている。
【００２９】
主制御基板２００には、第１始動口２４へ入球した遊技球を検知する第１始動口センサー２４ｓや、第２始動口２５へ入球した遊技球を検知する第２始動口センサー２５ｓ、大入賞口２８へ入球した遊技球を検知する大入賞口センサー２８ｓ、普通図柄作動ゲート２７を通過する遊技球を検知するゲートセンサー２７ｓなどが接続されている。主制御基板２００のＣＰＵ２０６は、第１始動口センサー２４ｓや、第２始動口センサー２５ｓ、大入賞口センサー２８ｓ、ゲートセンサー２７ｓなどから遊技球の検知信号の入力があると、その検知信号の入力のあったセンサーに対応するコマンドを、サブ制御基板２２０や、払出制御基板２４０、発射制御基板２６０などに向けて送信する。
【００３０】
また、主制御基板２００には、第２始動口２５に設けられた開閉扉２６に開閉動作を行わせるための（第２始動口２５を開放状態、閉鎖状態にするための）始動口ソレノイド２６ｍや、大入賞口２８に設けられた開閉扉２９に開閉動作を行わせるための（大入賞口２８を開放状態、閉鎖状態にするための）大入賞口ソレノイド２９ｍ、セグメント表示部５０などが接続されている。主制御基板２００のＣＰＵ２０６は、始動口ソレノイド２６ｍ、大入賞口ソレノイド２９ｍ、セグメント表示部５０に向けて駆動信号を送信することにより、これらの動作の制御を行う。
【００３１】
サブ制御基板２２０には、画像音声制御基板２３０や、ランプ制御基板２２６、演出操作基板２２８が接続されている。サブ制御基板２２０のＣＰＵ３０６は、主制御基板２００からの各種コマンドを受信すると、コマンドの内容を解析して、その内容に応じた遊技演出を行う。すなわち、画像音声制御基板２３０に対しては、出力画像や出力音声を指定するコマンドを送信し、ランプ制御基板２２６に対しては、上部ランプ５ａ、右サイドランプ５ｂ、左サイドランプ５ｃ（以下「各種ランプ５ａ〜５ｃ」ともいう）の発光パターンを指定するコマンドを送信したりすることによって、遊技の演出を行う。また、サブ制御基板２２０のＣＰＵ３０６は、演出操作基板２２８を介して、演出ボタン１０ａやジョグシャトル１０ｂに対する遊技者の操作を検知すると、該操作に対応する遊技演出を行う。
【００３２】
画像音声制御基板２３０は、ＣＰＵ４０６、ＲＯＭ４０７、ＲＡＭ４０８に加えて、ＶＤＰ４０９、画像ＲＯＭ４１０、音声ＲＯＭ４１１を備えている。画像音声制御基板２３０のＣＰＵ４０６は、サブ制御基板２２０からコマンドを受信すると、そのコマンドに対応する画像の表示をＶＤＰ４０９に指示する。ＶＤＰ４０９は、指示された画像の表示に利用する画像データ（例えば、スプライトデータや動画データなど）を画像ＲＯＭ４１０から読み出して画像を生成し、演出表示装置４１の表示画面に出力する。また、画像音声制御基板２３０のＣＰＵ４０６は、サブ制御基板２２０からコマンドを受信すると、そのコマンドに対応する音声データを音声ＲＯＭ４１１から読み出して、該音声データに基づく音声を、アンプ基板２２４を介して、上部スピーカー６ａおよび下部スピーカー６ｂ（以下「各種スピーカー６ａ，６ｂ」ともいう）から出力する。
【００３３】
払出制御基板２４０には、上皿部７に設けられた球貸ボタン２４１（図１では図示省略）や、パチンコ機１に並設されたカードユニット２４２、払出モーター２４３などが接続されている。球貸ボタン２４１が操作されると、この信号は、払出制御基板２４０を介してカードユニット２４２に伝達される。カードユニット２４２は、払出制御基板２４０とデータを通信しながら、払出モーター２４３を駆動して遊技球の貸し出しを行う。また、主制御基板２００から遊技球の払い出しを指示する払出コマンドを受信した場合も、払出モーター２４３を駆動して遊技球の払い出しを行う。
【００３４】
また、払出制御基板２４０には発射制御基板２６０が接続されており、発射制御基板２６０には、遊技球を発射させるための発射モーター２６２や遊技者が発射ハンドル９に触れていることを検知するタッチスイッチ２６３等を有する発射装置ユニット２６１が接続されている。発射制御基板２６０は、タッチスイッチ２６３を介して遊技者が発射ハンドル９に触れていることを検知すると、発射モーター２６２を駆動することによって、発射ハンドル９の回転角度に応じた強さで遊技球を発射する。
【００３５】
Ｂ．遊技の進行態様  ：
本実施例のパチンコ機１では、次のようにして遊技が進行する。上皿部７に遊技球が貯留された状態で発射ハンドル９が回転されると、上皿部７に貯留された遊技球が１球ずつ発射装置ユニット２６１に供給されて、図２を用いて前述した遊技領域２１に発射される。遊技球を打ち出す強さは発射ハンドル９の回転角度に対応するので、遊技者は発射ハンドル９の回転角度を変化させることによって、遊技者は所望する領域に遊技球を流下させることができる。例えば、中央装置４０（演出表示装置４１）の左方の領域を流下するように遊技球を発射させたり（左打ちを行ったり）、中央装置４０（演出表示装置４１）の右方の領域を流下するように遊技球を発射させたり（右打ちを行ったり）することができる。
【００３６】
＜特別図柄の変動表示＞
図２を用いて前述したように、第１始動口２４には左打ちされた遊技球が入球可能である。左打ちされた遊技球が第１始動口２４に入球し、その入球した遊技球が第１始動口センサー２４ｓにより検知されると、所定の判定乱数（大当り判定乱数など）を取得し、該判定乱数に基づいて大当りであるか外れであるかを判定する大当り判定を行う。そして、この大当り判定の結果に基づいて、第１の特別図柄（以下「第１特図」ともいう）を変動表示させた後に停止表示させる。また、図２を用いて前述したように、第２始動口２５には右打ちされた遊技球が入球可能である。右打ちされた遊技球が第２始動口２５に入球し、その入球した遊技球が第２始動口センサー２５ｓにより検知されると、所定の判定乱数（大当り判定乱数など）を取得し、該判定乱数に基づいて大当りであるか外れであるかを判定する大当り判定を行う。そして、この大当り判定の結果に基づいて、第２の特別図柄（以下「第２特図」ともいう）を変動表示させた後に停止表示させる。ここで、第１特図、第２特図について説明する。
【００３７】
図５は、セグメント表示部５０を拡大して示す説明図である。前述したように、セグメント表示部５０は遊技盤２０における遊技領域２１の右下方に設けられており（図２参照）、遊技者は前面枠４の小窓部４ｃ（図１参照）を通してセグメント表示部５０を視認可能である。図５に示すように、セグメント表示部５０には、第１特図を表示する第１特図表示部５１と、第２特図を表示する第２特図表示部５２が設けられており、これらの表示部にはそれぞれ８個のＬＥＤが配置されている。第１特図および第２特図（以下、これらを特に区別をしない場合は、まとめて「特別図柄」という）は、それぞれの表示部において、８個のＬＥＤのうち点灯するＬＥＤを切り換えることによって変動表示され、８個のＬＥＤのうち所定のＬＥＤを点灯した状態とすることで停止表示される。本実施例のパチンコ機１では、第１特図として、大当り図柄１〜１００、外れ図柄１０１の１０１種類の図柄を停止表示可能であり、第２特図として、大当り図柄２０１〜３００、外れ図柄３０１の１０１種類の図柄を停止表示可能である。また、これらの図柄の種類は、点灯するＬＥＤの組合せの相違によって識別可能である。遊技球が第１始動口２４に入球することに基づく大当り判定（以下「第１特図についての大当り判定」ともいう）の結果が大当りである場合は、第１特図が大当り図柄１〜１００の何れかで停止表示され、第１特図についての大当り判定の結果が外れである場合は、第１特図が外れ図柄１０１で停止表示される。また、遊技球が第２始動口２５に入球することに基づく大当り判定（以下「第２特図についての大当り判定」ともいう）の結果が大当りである場合は、第２特図が大当り図柄２０１〜３００の何れかで停止表示され、第２特図についての大当り判定の結果が外れである場合は第２特図が外れ図柄３０１で停止表示される。こうして特別図柄（第１特図または第２特図）を大当り図柄または外れ図柄で停止表示したら、停止表示された図柄を確定させるべく、図柄が停止表示された状態を所定の時間が経過するまで維持する表示（以下「確定表示」ともいう）を行う。以下では、特別図柄が変動表示を開始してから、所定の変動時間の経過により当該変動表示が終了して、特別図柄が大当り図柄または外れ図柄で確定表示されるまでの遊技、すなわち１回の変動表示の結果が得られるまでの遊技を「図柄変動遊技」とも表現する。
【００３８】
＜大当り遊技＞
第１特図または第２特図が何れかの大当り図柄で停止表示されると、大入賞口２８が開放状態となるラウンド遊技が複数回行われる大当り遊技を開始する。図２を用いて前述したように、大入賞口２８には右打ちされた遊技球が入球可能であるので、大当り遊技中は右打ちが行われることとなる。
【００３９】
本実施例のパチンコ機１では、停止表示された大当り図柄の種類によって、１回の大当り遊技におけるラウンド遊技の回数が異なる。すなわち、第１特図が大当り図柄１〜５０で停止表示された場合は（第１特図が大当り図柄で停止表示される場合は５０％の確率で）、４回のラウンド遊技が行われる４ラウンド大当り遊技が行われ、第１特図が大当り図柄５１〜９０で停止表示された場合は（第１特図が大当り図柄で停止表示される場合は４０％の確率で）、６回のラウンド遊技が行われる６ラウンド大当り遊技が行われ、第１特図が大当り図柄９１〜９４で停止表示された場合は（第１特図が大当り図柄で停止表示される場合は４％の確率で）、７回のラウンド遊技が行われる７ラウンド大当り遊技が行われ、第１特図が大当り図柄９５〜１００で停止表示された場合は（第１特図が大当り図柄で停止表示される場合は６％の確率で）、１６回のラウンド遊技が行われる１６ラウンド大当り遊技が行われる。また、第２特図が大当り図柄２０１〜２５０で停止表示された場合は（第２特図が大当り図柄で停止表示される場合は５０％の確率で）４ラウンド大当り遊技が行われ、第２特図が大当り図柄２５１〜２９０で停止表示された場合は（第２特図が大当り図柄で停止表示される場合は４０％の確率で）６ラウンド大当り遊技が行われ、第２特図が大当り図柄２９１〜２９４で停止表示された場合は（第２特図が大当り図柄で停止表示される場合は４％の確率で）７ラウンド大当り遊技が行われ、第２特図が大当り図柄２９５〜３００で停止表示された場合は（第２特図が大当り図柄で停止表示される場合は６％の確率で）１６ラウンド大当り遊技が行われる。
【００４０】
本実施例のパチンコ機１において、１回のラウンド遊技は、９個の遊技球が入球した場合（９カウント）または３０秒が経過した場合に終了するので、ほとんどの場合において１回のラウンド遊技では１１７個（９カウント×払出数１３個）の遊技球が払い出される。従って、当然ながら、ラウンド遊技回数の多い大当り遊技の方が、ラウンド遊技回数が少ない大当り遊技よりも遊技者に多くの遊技球が払い出されることとなる。このため、ラウンド遊技回数のより多い大当り遊技が行われることを遊技者に期待させることができる。尚、このことは、遊技者にとっての有利度合が互いに異なる複数の大当り遊技（特定遊技）を実行可能であると捉えることができる。
【００４１】
上述した大当り遊技の実行中は、セグメント表示部５０のラウンド表示部５５に実行中の大当り遊技の種類（ラウンド遊技回数）が表示される。すなわち、図５に示すように、ラウンド表示部５５には３個のＬＥＤが配置されており、このラウンド表示部５５では、３個のＬＥＤのうち左のＬＥＤを点灯することで４ラウンド大当り遊技の実行中であることを示し、中のＬＥＤを点灯することで６ラウンド大当り遊技の実行中であることを示し、右のＬＥＤを点灯することで７ラウンド大当り遊技の実行中であることを示し、３個全てのＬＥＤを点灯することで１６ラウンド大当り遊技の実行中であることを示す。
【００４２】
＜特別図柄の保留＞
遊技球が第１始動口２４に入球すると、上述したように第１特図についての大当り判定や変動表示が行われるものの、これらの大当り判定や変動表示は、遊技球が第１始動口２４に入球後に直ぐに行われるのではなく、取得された判定乱数を第１特図保留として一旦記憶する。そして、所定の条件が成立したら、記憶した第１特図保留に基づいて大当り判定や第１特図の変動表示を行う。このような第１特図保留は４個を上限として記憶される。第１特図保留の記憶数（第１特図保留数）は、セグメント表示部５０の第１特図保留表示部５３に表示される。すなわち、図５に示すように、第１特図保留表示部５３には２個のＬＥＤが配置されており、この第１特図保留表示部５３では、２個のＬＥＤのうち１個のＬＥＤを点灯することで第１特図保留数が１個であることを示し、２個のＬＥＤを点灯することで第１特図保留数が２個であることを示し、１個のＬＥＤを点滅することで第１特図保留数が３個であることを示し、２個のＬＥＤを点滅することで第１特図保留数が４個であることを示す。
【００４３】
また、遊技球が第２始動口２５に入球すると、上述したように第２特図についての大当り判定や変動表示が行われるものの、これらの大当り判定や変動表示も、遊技球が第２始動口２５に入球後に直ぐに行われるのではなく、取得された判定乱数を第２特図保留として一旦記憶する。そして、所定の条件が成立したら、記憶した第２特図保留に基づいて大当り判定や第２特図の変動表示を行う。このような第２特図保留も４個を上限として記憶される。第２特図保留の記憶数（第２特図保留数）は、セグメント表示部５０の第２特図保留表示部５４に表示される。すなわち、図５に示すように、第２特図保留表示部５４にも２個のＬＥＤが配置されており、この第２特図保留表示部５４では、２個のＬＥＤのうち１個のＬＥＤを点灯することで第２特図保留数が１個であることを示し、２個のＬＥＤを点灯することで第２特図保留数が２個であることを示し、１個のＬＥＤを点滅することで第２特図保留数が３個であることを示し、２個のＬＥＤを点滅することで第２特図保留数が４個であることを示す。
【００４４】
尚、本実施例のパチンコ機１では、何れかの特別図柄の変動表示中や、何れかの特別図柄の確定表示中、大当り遊技中は、第１特図保留や第２特図保留が記憶されていても、これらの保留に係る大当り判定や変動表示は行わない。また、第１特図保留および第２特図保留のうち第１特図保留のみが記憶されている場合は、最先に記憶された第１特図保留に係る大当り判定および第１特図の変動表示を行うが、第２特図保留が記憶されている場合は第１特図保留が記憶されているか否かに拘わらず、最先に記憶された第２特図保留に係る大当り判定および第２特図の変動表示を行う。すなわち、第２特図を第１特図に優先して変動表示させる（いわゆる第２特図の優先変動機能を有する）。
【００４５】
＜普通図柄の変動表示、普図当り遊技＞
図２を用いて前述したように、普通図柄作動ゲート２７は右打ちされた遊技球が通過可能である。右打ちされた遊技球が普通図柄作動ゲート２７を通過し、その遊技球がゲートセンサー２７ｓにより検知されると、所定の判定乱数（普図当り判定乱数など）を取得し、該判定乱数に基づいて普図当りであるか外れであるかを判定する普図当り判定を行う。そして、この普図当り判定の結果に基づいて、普通図柄を変動表示させた後に停止表示させる。図５に示すように、セグメント表示部５０には、普通図柄を表示する普図表示部５６が設けられており、普図表示部５６には２個のＬＥＤが配置されている。普通図柄は、普図表示部５６において、２個のＬＥＤのうち点灯するＬＥＤを切り換えることによって変動表示され、２個のＬＥＤのうち所定のＬＥＤを点灯した状態とすることで停止表示される。本実施例のパチンコ機１では、普通図柄として、２個のＬＥＤのうち左のＬＥＤを点灯させた普図当り図柄と、右のＬＥＤを点灯させた普図外れ図柄の２種類の図柄を停止表示可能である。普図当り判定の結果が普図当りである場合は普通図柄が普図当り図柄で停止表示され、普図当り判定の結果が普図外れである場合は普通図柄が普図外れ図柄で停止表示される。こうして普通図柄を当り図柄または外れ図柄で停止表示したら、停止表示された図柄を確定させるべく、図柄が停止表示された状態を所定の時間が経過するまで維持する表示（確定表示）を行う。そして、普通図柄が普図当り図柄で停止表示された場合は、第２始動口２５が開放状態となった後に閉鎖状態となる普図当り遊技が行われる。
【００４６】
＜普通図柄の保留＞
遊技球が普通図柄作動ゲート２７を通過すると、普図当り判定や普通図柄の変動表示が行われるものの、これらの普図当り判定や変動表示は、遊技球が普通図柄作動ゲート２７を通過後に直ぐに行われるのではなく、取得された判定乱数を普図保留として一旦記憶する。そして、所定の条件が成立したら、記憶した普図保留に基づいて普図当り判定や普通図柄の変動表示を行う。このような普図保留も４個を上限として記憶される。普図保留の記憶数（普図保留数）は、セグメント表示部５０の普図保留表示部５７に表示される。すなわち、図５に示すように、普図保留表示部５７には２個のＬＥＤが配置されており、この普図保留表示部５７では、２個のＬＥＤのうち１個のＬＥＤを点灯することで普図保留数が１個であることを示し、２個のＬＥＤを点灯することで普図保留数が２個であることを示し、１個のＬＥＤを点滅することで普図保留数が３個であることを示し、２個のＬＥＤを点滅することで普図保留数が４個であることを示す。尚、本実施例のパチンコ機１では、普図保留が記憶されている場合において、普通図柄の変動表示中、普通図柄の確定表示中、普図当り遊技中の何れでもなければ、最先に記憶された普図保留に係る普図当り判定および普通図柄の変動表示を行う。
【００４７】
＜遊技状態＞
ここで、本実施例のパチンコ機１では、大当り判定において大当りと判定される確率に係る遊技状態と、第２始動口２５への遊技球の入球頻度に係る遊技状態とが適宜設定される。これらのうち大当り判定において大当りと判定される確率に係る遊技状態は、「大当り判定において大当りと判定される確率が低い（９９．９分の１の確率である）低確率状態」または「大当り判定において大当りと判定される確率が高い（１１．９分の１の確率である）高確率状態」に設定される。また、第２始動口２５への遊技球の入球頻度に係る遊技状態は、「第２始動口２５への遊技球の入球頻度が低い非電サポ状態」または「第２始動口２５への遊技球の入球頻度が高い電サポ状態」に設定される。尚、以下では、高確率状態が設定された状態で実行可能な図柄変動遊技（特別図柄の変動表示）の回数を「高確回数」とも表現し、電サポ状態が設定された状態で実行可能な図柄変動遊技（特別図柄の変動表示）の回数を「電サポ回数」とも表現する。
【００４８】
本実施例のパチンコ機１では、何れの大当り遊技が行われた場合であっても、大当り遊技終了後は高確率状態と電サポ状態が併せて設定されるものの、電サポ回数は、大当り遊技の開始契機となった大当り図柄の種類によって異なる。すなわち、高確回数については、何れの大当り図柄が停止表示された場合であっても６回に設定される。これに対して、電サポ回数については、第１特図が大当り図柄１〜４５で停止表示された場合は（第１特図が大当り図柄で停止表示される場合は４５％の確率で）２５回に設定され、第１特図が大当り図柄４６〜５０、５１〜９０、９１〜９４で停止表示された場合は（第１特図が大当り図柄で停止表示される場合は５％＋４０％＋４％＝４９％の確率で）５０回に設定され、第１特図が大当り図柄９５〜１００で停止表示された場合は（第１特図が大当り図柄で停止表示される場合は６％の確率で）１００回に設定される。また、第２特図が大当り図柄２０１〜２４５で停止表示された場合は（第２特図が大当り図柄で停止表示される場合は４５％の確率で）２５回に設定され、第２特図が大当り図柄２４６〜２５０、２５１〜２９０、２９１〜２９４で停止表示された場合は（第２特図が大当り図柄で停止表示される場合は５％＋４０％＋４％＝４９％の確率で）５０回に設定され、第２特図が大当り図柄２９５〜３００で停止表示された場合は（第２特図が大当り図柄で停止表示される場合は６％の確率で）１００回に設定される。
【００４９】
尚、高確回数が６回に設定された後に図柄変動遊技（特別図柄の変動表示）が６回行われた場合は、高確率状態は終了し、電サポ状態が設定されたまま低確率状態が設定される。また、２５回、５０回、１００回の電サポ回数が設定された後に該電サポ回数と同数の図柄変動遊技（特別図柄の変動表示）が行われた場合は、電サポ状態は終了し、非電サポ状態が設定される。遊技者にとっては、電サポ状態の方が非電サポ状態よりも有利な状態であることから、より多くの電サポ回数が設定されることを遊技者に期待させることができる。
【００５０】
ここで、セグメント表示部５０には、上述した電サポ状態の設定中であることを示す電サポ表示部５８が設けられている。すなわち、図５に示すように、電サポ表示部５８には、３個のＬＥＤが配置されており、電サポ状態の設定中は、この３個のＬＥＤを点灯することによって電サポ状態の設定中であることを示す。また、図５に示すように、セグメント表示部５０には、右打ちを行うことを示す右打ち表示部５９が設けられている。電サポ状態の設定中は第２始動口２５への遊技球の入球頻度が高く、且つ、第２始動口２５は右打ちされた遊技球が入球可能であるので、電サポ状態の設定中は右打ちを行うことが遊技者にとって有益である。また、大入賞口２８も右打ちされた遊技球が入球可能であるので、大当り遊技中も右打ちを行うことが遊技者にとって有益である。そこで、電サポ状態の設定中および大当り遊技中は、右打ち表示部５９に配置された２個のＬＥＤを点灯することによって右打ちを行うことを示す。
【００５１】
＜演出表示装置４１の表示内容＞
上述したような遊技の進行は、主に主制御基板２００のＣＰＵ２０６によって行われる。本実施例のパチンコ機１では、上述したような遊技の進行に合わせて、演出表示装置４１に種々の画像を表示する演出を行う。このような演出は、主にサブ制御基板２２０のＣＰＵ３０６によって行われる。
【００５２】
例えば、演出表示装置４１では、第１特図または第２特図の変動表示（図柄変動遊技）に合わせた各種の演出（以下「図柄変動演出」ともいう）が行われる。すなわち、第１特図表示部５１または第２特図表示部５２にて特別図柄（第１特図または第２特図）の変動表示（図柄変動遊技）の開始タイミングと同期して、演出表示装置４１においても３つの識別図柄４１ａ，４１ｂ，４１ｃの変動表示を一斉に開始し、その後、特別図柄の変動時間が経過するまで種々の態様で変動表示を行う。そして、特別図柄の変動表示の終了タイミング（特別図柄の停止表示）と同期して３つの識別図柄４１ａ，４１ｂ，４１ｃの変動表示を終了する。本実施例のパチンコ機１では、識別図柄として「１」〜「９」までの９つの数字を意匠化した図柄を表示可能である。
【００５３】
図６（ａ）には、３つの識別図柄４１ａ，４１ｂ，４１ｃが一斉に変動表示している様子が概念的に示されている。変動表示が開始された後、所定時間が経過すると、初めに左識別図柄４１ａが「１」〜「９」のいずれかの図柄で停止表示され、次に、右識別図柄４１ｃが停止表示され、最後に中識別図柄４１ｂが停止表示される。これら演出表示装置４１で停止表示される３つの識別図柄４１ａ，４１ｂ，４１ｃの組合せは、前述した第１特図表示部５１または第２特図表示部５２で停止表示される特別図柄（第１特図または第２特図）と対応するように構成されている。例えば、第１特図または第２特図が大当り図柄で停止表示される場合は、演出表示装置４１の３つの識別図柄４１ａ，４１ｂ，４１ｃが同じ図柄となる図柄組合せ（以下「ゾロ目」ともいう）で停止表示される。また、第１特図または第２特図が「外れ図柄」で停止表示される場合は、３つの識別図柄４１ａ，４１ｂ，４１ｃは同じ図柄で揃わない図柄組合せ（以下「バラケ目」ともいう）で停止表示される。尚、停止表示された識別図柄４１ａ、４１ｂ、４１ｃは、特別図柄の確定表示時間が経過するまで停止表示された状態となる（確定表示される）。
【００５４】
このように、第１特図表示部５１または第２特図表示部５２で表示される特別図柄と、演出表示装置４１で表示される３つの識別図柄４１ａ，４１ｂ，４１ｃとは、表示内容が互いに対応しており、変動表示中の特別図柄が停止表示する際には、３つの識別図柄４１ａ，４１ｂ，４１ｃも停止表示するようになっている。しかも、図２に示すように、演出表示装置４１は、第１特図表示部５１または第２特図表示部５２（セグメント表示部５０）よりも目に付き易い位置に設けられており、表示画面も大きく、表示内容も分かり易いので、遊技者は演出表示装置４１の画面を見ながら遊技を行うことが通常である。従って、図６（ｂ）に示すように、演出表示装置４１の表示画面上で初めに停止表示される左識別図柄４１ａと、続いて停止表示される右識別図柄４１ｃとが同じ図柄であった場合には、最後に停止表示される中識別図柄４１ｂも同じ図柄で停止して、「大当り遊技が開始されるのではないか」と、遊技者は識別図柄の変動表示（図柄変動演出）を注視することになる。このように、２つの識別図柄（一の識別図柄を除いた識別図柄）を同じ図柄（ゾロ目となり得る態様）で停止させて最後の識別図柄（一の識別図柄）を変動表示させた状態で行われる演出は「リーチ演出」と呼ばれており、このリーチ演出を発生させることで遊技興趣を高めている。
【００５５】
また、演出表示装置４１の表示画面上の下部には、第１特図保留数を示すための第１保留表示領域４１ｄと、第２特図保留数を示すための第２保留表示領域４１ｅとが設定されている。本実施例のパチンコ機１では、第１保留表示領域４１ｄに第１特図保留数と同数の「保留図柄（図中、小さい円形の図柄）」を表示することで第１特図保留数を示し、第２保留表示領域４１ｅに第２特図保留数と同数の「保留図柄」を表示することで第２特図保留数を示す。従って、図６に示す例では、第１特図保留数および第２特図保留数が共に４個であることが示されている。尚、当然ながら、演出表示装置４１の表示画面上に表示された保留図柄によって示される保留数と、セグメント表示部５０の第１特図保留表示部５３および第２特図保留表示部５４にて示される保留数とは一致することとなる。
【００５６】
Ｃ．裏ユニットの取り付け態様  ：
次に、本実施例のパチンコ機１の主な特徴である裏ユニット７０の取り付け態様について説明する。裏ユニット７０は、図３を用いて前述したように、遊技盤２０の後面側に各種基板や各種機構を覆うように取り付けられている。
【００５７】
図７は、遊技盤２０に裏ユニット７０が取り付けられる様子を示す後方斜視図であり、図８は、その前方斜視図である。図７および図８では、遊技盤２０および裏ユニット７０以外の構成（各種基板や各種機構等）については、その図示を省略している。また、本発明と直接的には関係のない遊技盤２０および裏ユニット７０の細かい形状についても、その図示を省略している。
【００５８】
図７および図８に示すように、裏ユニット７０は、前方（遊技盤２０側）が開放された箱状に形成されている。そして、裏ユニット７０における開口部の左右縁部には、遊技盤の後面に対向する対向面が設けられており、その対向面には締結部位７０Ａ，７０Ｂ，７０Ｃ，７０Ｄ，７０Ｅ（７０Ａ〜７０Ｅ）が設けられている。これに対して、遊技盤２０は、その四隅部であって締結部位７０Ａ〜７０Ｅに対応する位置に、締結部位２０Ａ，２０Ｂ，２０Ｃ，２０Ｄ，２０Ｅ（２０Ａ〜２０Ｅ）が設けられている。また、詳しくは後述するが、裏ユニット７０の締結部位７０Ａ〜７０Ｅ、遊技盤２０の締結部位２０Ａ〜Ｅのそれぞれにはビス穴Ｈ（締結穴）が設けられている。裏ユニット７０のビス穴Ｈと遊技盤２０のビス穴ＨとにビスＳ（締結部材）を締結させることによって（図中、一点鎖線）、裏ユニット７０は遊技盤２０の後面側に取り付けられている。
【００５９】
尚、遊技盤２０（第１の遊技部品）の締結部位２０Ａ〜２０Ｅに設けられたビス穴Ｈを「第１の締結穴」として捉えることができ、裏ユニット７０（第２の遊技部品）の締結部位７０Ａ〜７０Ｅに設けられたビス穴Ｈを「第２の締結穴」として捉えることができる。
【００６０】
図７および図８に拡大して示すように、裏ユニット７０の締結部位７０Ａ〜７０Ｅ、遊技盤２０の締結部位２０Ａ〜２０Ｅには、ビスＳが締結されるビス穴Ｈの他にも、本発明独特の構成が設けられている。これらの構成は、ビス穴ＨにビスＳが締結される前において、遊技盤２０に対する裏ユニット７０の「裏ユニット７０の取り付け方向と直交する方向（以下「ズレ方向」ともいう）」への移動を所定の範囲に制限するための構成である。この構成によって、遊技盤２０のビス穴Ｈに裏ユニット７０のビス穴Ｈが重なるように、遊技盤２０に対して裏ユニット７０を配置することができる。
【００６１】
すなわち、裏ユニット７０は大型（少なくとも遊技盤２０と同程度の大きさ）の遊技部品であるので、単に裏ユニット７０を遊技盤２０に押さえつけてビス穴ＨにビスＳを締結しようとしても、遊技盤２０のビス穴Ｈに裏ユニット７０のビス穴Ｈを重ねることが困難であり、ひいては、双方のビス穴ＨにビスＳを締結することが困難である。そこで、上述したように、遊技盤２０に裏ユニット７０を取り付けるに際しては、裏ユニット７０の「ズレ方向」への移動を所定の範囲に制限することとしており、裏ユニット７０の締結部位７０Ａ〜７０Ｅ、遊技盤２０の締結部位２０Ａ〜２０Ｅには、このような制限を行うための構成が設けられている。このように、遊技盤２０のビス穴Ｈと裏ユニット７０のビス穴ＨとにビスＳを締結させる前において、遊技盤２０に対する裏ユニット７０の「ズレ方向」への移動を所定の範囲に制限することを「位置決め」とも表現する。以下では、このような位置決めを行うための構成について詳しく説明する。
【００６２】
尚、遊技盤２０は「第１の遊技部品」として捉えることができ、裏ユニット７０は「第２の遊技部品」として捉えることができる。
【００６３】
Ｃ−１．遊技盤２０の締結部位２０Ａ、裏ユニット７０の締結部位７０Ａ  ：
図９は、遊技盤２０の締結部位２０Ａと、この締結部位２０Ａに締結される裏ユニット７０の締結部位７０Ａを抜き出して示す説明図である。なかでも、図９（ａ）は、締結部位２０Ａおよび締結部位７０Ａの後方斜視図であり、図９（ｂ）は、その前方斜視図である。尚、図９では、位置決めに係る構成以外の構成については、その形状を簡略化している。
【００６４】
＜遊技盤２０の締結部位２０Ａ＞
図９に示すように、遊技盤２０の締結部位２０Ａには、後方（裏ユニット７０側）に向かって突出した遊技盤側挿入部２０１，２０２が上下に２つ並べて設けられている。それぞれの遊技盤側挿入部２０１，２０２にはビス穴Ｈが設けられており、このビス穴Ｈは、遊技盤側挿入部２０１，２０２および遊技盤２０を前後方向（裏ユニット７０の取り付け方向）に貫通させて形成されている。従って、遊技盤側挿入部２０１，２０２は、少なくとも後方（裏ユニット７０側、本実施例では前方および後方）が開口された円筒形状を有している。
【００６５】
また、２つの遊技盤側挿入部２０１，２０２の下方には、後方（裏ユニット７０側）に向かって突出した遊技盤側被挿入部２０３が設けられている。この遊技盤側被挿入部２０３には、後方（裏ユニット７０側）が開放されると共に前後方向（裏ユニット７０の取り付け方向）に伸びる円柱状の被挿入空間２０３ａが設けられている。従って、遊技盤側被挿入部２０３も、少なくとも後方（裏ユニット７０側）が開口された円筒形状を有している。
【００６６】
また、２つの遊技盤側挿入部２０１，２０２の外壁間には、後方（裏ユニット７０側）に向かって突出すると共に２つの遊技盤側挿入部２０１，２０２を連結する第１リブ部２０４が形成されており、下側の遊技盤側挿入部２０２の外壁と遊技盤側被挿入部２０３の外壁との間にも、後方（裏ユニット７０側）に向かって突出すると共に下側の遊技盤側挿入部２０２と遊技盤側被挿入部２０３とを連結する第２リブ部２０５が形成されている。
【００６７】
上述した２つの遊技盤側挿入部２０１，２０２、遊技盤側被挿入部２０３、第１リブ部２０４、第２リブ部２０５の先端部（裏ユニット７０側の端部）は平面状（平坦）に形成されており、且つ、遊技盤２０の後面からこれらの先端部までの距離（高さ）は互いに同じである。すなわち、２つの遊技盤側挿入部２０１，２０２、遊技盤側被挿入部２０３、第１リブ部２０４、第２リブ部２０５の先端部（裏ユニット７０側の端部）は、いわゆる面一に形成されている。
【００６８】
＜裏ユニット７０の締結部位７０Ａ＞
一方、裏ユニット７０の締結部位７０Ａには、２つの遊技盤側挿入部２０１，２０２、第１リブ部２０４、第２リブ部２０５の外郭（輪郭）に沿った形状であると共に前方（遊技盤２０側）に突出した裏ユニット側被挿入部７０１が設けられている。この裏ユニット側被挿入部７０１の形状は、詳しくは、２つの遊技盤側挿入部２０１，２０２、第１リブ部２０４、第２リブ部２０５の形状を裏ユニット７０に投影し、この形状が投影された領域（投影領域）の外郭（輪郭）に沿わせた形状（あるいは投影領域の少なくとも一部を囲繞する形状）である。裏ユニット側被挿入部７０１をこのような形状とすることによって、この裏ユニット側被挿入部７０１に、２つの遊技盤側挿入部２０１，２０２、第１リブ部２０４、第２リブ部２０５がまとめて挿入される被挿入空間７０１ａを設けている。
【００６９】
裏ユニット７０のビス穴Ｈは、遊技盤２０のビス穴Ｈに対応する裏ユニット７０の部位を貫通させて設けられている。ここで、遊技盤２０のビス穴Ｈは、２つの遊技盤側挿入部２０１，２０２に設けられているので、これらのビス穴Ｈに対応する裏ユニット７０の部位は、上述の投影領域内であり、換言すると、裏ユニット側被挿入部７０１（被挿入空間７０１ａ）が設けられた部位である。従って、裏ユニット７０のビス穴Ｈは、上述の投影領域内に設けられており、換言すると、裏ユニット側被挿入部７０１（被挿入空間７０１ａ）に設けられていることとなる。
【００７０】
裏ユニット側被挿入部７０１の下方には、遊技盤側被挿入部２０３（被挿入空間２０３ａ）に対応する位置に裏ユニット側挿入部７０２が設けられている。裏ユニット側挿入部７０２は、前方（遊技盤２０側）に突出した円錐台形状を有しており、遊技盤側被挿入部２０３の被挿入空間２０３ａに挿入される。
【００７１】
上述した裏ユニット側被挿入部７０１の高さ（裏ユニット７０の前面から裏ユニット側被挿入部７０１の先端部までの距離）は、裏ユニット側挿入部７０２の高さ（裏ユニット７０の前面から裏ユニット側挿入部７０２の先端部までの距離）よりも高く（長い距離に）形成されている。こうすることよって、遊技盤２０（先端部が面一に形成された２つの遊技盤側挿入部２０１，２０２、遊技盤側被挿入部２０３、第１リブ部２０４、第２リブ部２０５）に、裏ユニット７０（裏ユニット側被挿入部７０１、裏ユニット側挿入部７０２）を取り付けるに際して、先に、裏ユニット側挿入部７０２が遊技盤側被挿入部２０３に挿入（係合）され、続いて、２つの遊技盤側挿入部２０１，２０２、第１リブ部２０４、第２リブ部２０５が、裏ユニット側被挿入部７０１に挿入（係合）されることとなる。
【００７２】
＜締結部位２０Ａに対する締結部位７０Ａの取り付け＞
次に、上述した「遊技盤２０の締結部位２０Ａ」に「裏ユニット７０の締結部位７０Ａ」を取り付ける際の工程について説明する。図１０および図１１は、この取り付け過程を説明するための説明図であり、なかでも、図１０（ｂ）は、図１０（ａ）に示す面Ｘにおける断面図である。遊技盤２０に裏ユニット７０を取り付ける工程が開始された当初は、当然ながら、図１０（ｂ）に示すように、裏ユニット７０（締結部位７０Ａ）は遊技盤２０（締結部位２０Ａ）から離されて配置される。
【００７３】
その後、裏ユニット７０（締結部位７０Ａ）を遊技盤２０（締結部位２０Ａ）に近づけていき、図１１（ａ）に示すように、裏ユニット側挿入部７０２の先端側を遊技盤側被挿入部２０３（被挿入空間２０３ａ）に挿入する（係合する）。ここで、裏ユニット側挿入部７０２の先端側の外径は、遊技盤側被挿入部２０３の開口部の内径（被挿入空間２０３ａの開口部の径）よりも、Ｈ１（第１の範囲、第１の長さ、例えば１．０〜２．５ｍｍ）だけ小さく形成されている。従って、裏ユニット側挿入部７０２の先端側が遊技盤側被挿入部２０３（被挿入空間２０３ａ）に挿入された状態においては、裏ユニット側挿入部７０２の外壁から遊技盤側被挿入部２０３（被挿入空間２０３ａ）の内壁までの「ズレ方向」の長さ、すなわち、裏ユニット側挿入部７０２の外壁と遊技盤側被挿入部２０３（被挿入空間２０３ａ）の内壁との間に形成される間隙の「ズレ方向」の長さは、最大でＨ１（例えば１．０〜２．５ｍｍ）となる。この状態において、裏ユニット７０を「ズレ方向」に最大でＨ１移動させると、裏ユニット側挿入部７０２の外壁が遊技盤側被挿入部２０３（被挿入空間２０３ａ）の内壁に当接することとなる。つまり、この状態は、遊技盤２０に対する裏ユニット７０の「ズレ方向」への移動がＨ１以内に制限された状態である。
【００７４】
上述のように、裏ユニット側挿入部７０２の先端側を遊技盤側被挿入部２０３（被挿入空間２０３ａ）に挿入することによって、遊技盤２０（第１の遊技部品）に対する裏ユニット７０（第２の遊技部品）の「ズレ方向」への移動をＨ１以内（第１の範囲）に制限する（位置決めを行う）工程は、本実施例における「第１段階目の位置決め」であり、「第１位置決め工程」として捉えることができる。
【００７５】
このように「第１段階目の位置決め」を行うことによって、裏ユニット７０の「ズレ方向」への移動がＨ１以内に制限された状態としたら、この状態のまま、さらに裏ユニット７０（締結部位７０Ａ）を遊技盤２０（締結部位２０Ａ）に近づけていく。そして、図１１（ｂ）に示すように、裏ユニット側被挿入部７０１（被挿入空間７０１ａ）に、遊技盤側挿入部２０１，２０２、第１リブ部２０４、第２リブ部２０５の先端側を挿入する（係合する）。ここで、上述したように、裏ユニット側被挿入部７０１の形状は、遊技盤側挿入部２０１，２０２、第１リブ部２０４、第２リブ部２０５の形状を裏ユニット７０に投影し、この形状が投影された領域（投影領域）の外郭（輪郭）に沿わせた形状である。従って、裏ユニット側被挿入部７０１（被挿入空間７０１ａ）に、遊技盤側挿入部２０１，２０２、第１リブ部２０４、第２リブ部２０５の先端側を挿入された状態においては、これらの外壁から裏ユニット側被挿入部７０１（被挿入空間７０１ａ）の内壁までの「ズレ方向」の長さ、すなわち、これらの外壁と裏ユニット側被挿入部７０１（被挿入空間７０１ａ）の内壁との間に形成される間隙の「ズレ方向」の長さは、最大でもＨ１よりも短いＨ２（第２の長さ、第２の範囲、例えば０〜０．２ｍｍ）となる。この状態において、遊技盤側挿入部２０１，２０２、第１リブ部２０４、第２リブ部２０５を「ズレ方向」に最大でＨ２移動させると、これらの外壁が裏ユニット側被挿入部７０１（被挿入空間７０１ａ）の内壁に当接することとなる。つまり、この状態は、遊技盤２０に対する裏ユニット７０の「ズレ方向」への移動がＨ１よりも短いＨ２以内に制限された状態である。
【００７６】
上述のように、裏ユニット側被挿入部７０１（被挿入空間７０１ａ）に、遊技盤側挿入部２０１，２０２、第１リブ部２０４、第２リブ部２０５の先端側を挿入することによって、遊技盤２０（第１の遊技部品）に対する裏ユニット７０（第２の遊技部品）の「ズレ方向」への移動をＨ１よりも短いＨ２以内（第１の範囲より狭い第２の範囲）に制限する（位置決めを行う）工程は、本実施例における「第２段階目の位置決め」であり、「第２位置決め工程」として捉えることができる。
【００７７】
このように「第２段階目の位置決め」を行うことによって、裏ユニット７０の「ズレ方向」への移動がＨ２以内に制限された状態としたら、この状態のまま、さらに裏ユニット７０（締結部位７０Ａ）を遊技盤２０（締結部位２０Ａ）に近づけていく。そして、図１１（ｃ）に示すように、遊技盤側挿入部２０１，２０２、第１リブ部２０４、第２リブ部２０５の先端部が、裏ユニット側被挿入部７０１（被挿入空間７０１ａ）のビス穴Ｈが形成された面（投影領域）に当接して、遊技盤側挿入部２０１，２０２のビス穴Ｈと裏ユニット側被挿入部７０１（被挿入空間７０１ａ）のビス穴Ｈとが連通したら、図１１（ｄ）に示すように、これらのビス穴ＨにビスＳを締結させる。
【００７８】
以上は、締結部位７０Ａおよび締結部位２０Ａについて説明したが、締結部位７０Ｂおよび締結部位２０Ｂ、締結部位７０Ｃおよび締結部位２０Ｃについては、締結部位７０Ａおよび締結部位２０Ａと同様の構成であるので、その説明を省略する。
【００７９】
ここで、従来技術においても、遊技盤に裏ユニットを取り付けるに際しては、裏ユニットの四隅に設けられた位置決めボスを、遊技盤の四隅に設けられた位置決め穴に挿入することで位置決めを行う（裏ユニットの「ズレ方向」への移動を制限する）。そして、遊技盤および裏ユニットの双方に設けられたビス穴を重ねて、この重なったビス穴にビスを締結させることで、裏ユニットを遊技盤に固定する。しかしながら、この従来技術では、位置決め穴の径と位置決めボスの径との差が大きい場合は、位置決めを行っても、裏ユニットの「ズレ方向」への移動の範囲が十分に制限されず、双方に設けられたビス穴が重ならないことがある。この場合は、ビス穴にビスを締結させることが困難になってしまうという問題があった。一方、位置決め穴の径と位置決めボスの径との差が小さいと、位置決め穴に位置決めボスを挿入することができれば裏ユニットの「ズレ方向」への移動の範囲を十分に制限することができるものの、そもそも位置決め穴に位置決めボスを挿入すること、すなわち、位置決め作業自体が困難になってしまうという問題があった。
【００８０】
これに対して、本実施例のパチンコ機１では、裏ユニット７０の位置決めを行うに際しては、先ず、裏ユニット側挿入部７０２の先端側を遊技盤側被挿入部２０３（被挿入空間２０３ａ）に挿入することによって、裏ユニット７０（遊技盤側挿入部２０１，２０２、第１リブ部２０４、第２リブ部２０５）の「ズレ方向」への移動をＨ１以内に制限する「第１段階目の位置決め」を行う（図１１（ａ）参照）。そして、このように裏ユニット７０の「ズレ方向」への移動がＨ１以内に制限された状態において、裏ユニット側被挿入部７０１（被挿入空間７０１ａ）に遊技盤側挿入部２０１，２０２、第１リブ部２０４、第２リブ部２０５の先端側を挿入することによって、裏ユニット７０の「ズレ方向」への移動をＨ１よりも短いＨ２以内に制限する「第２段階目の位置決め」を行う（図１１（ｂ）参照）。
【００８１】
このように本実施例のパチンコ機１では、「第１段階目の位置決め」だけでは位置決めを終了しないので、「第１段階目の位置決め」を行った結果としてビス穴Ｈ同士（遊技盤２０のビス穴Ｈと裏ユニット７０のビス穴Ｈ）が互いにズレていてもよい。このため、「第１段階目の位置決め」においては、裏ユニット７０の「ズレ方向」への移動の制限を厳格にする必要がない（高精度の位置決めを行う必要がない）。従って、「第１段階目の位置決め」を容易に行うことができ、ひいては、位置決め作業を容易に開始することができる。例えば、裏ユニット側挿入部７０２の外壁から遊技盤側被挿入部２０３（被挿入空間２０３ａ）の内壁までの「ズレ方向」の長さＨ１が長くてもよいので、裏ユニット側挿入部７０２の先端側の外径と、遊技盤側被挿入部２０３の開口部の内径（被挿入空間２０３ａの開口部の径）との差を大きくすることができる。この結果、「第１段階目の位置決め」において、裏ユニット側挿入部７０２の先端側を遊技盤側被挿入部２０３（被挿入空間２０３ａ）に挿入し易くなる。
【００８２】
一方、「第２段階目の位置決め」においては、その後にビスＳが締結されるので、ビス穴Ｈ同士（遊技盤２０のビス穴Ｈと裏ユニット７０のビス穴Ｈ）を重ねる必要がある。すなわち、「第２段階目の位置決め」においては、裏ユニット７０の「ズレ方向」への移動の制限を厳格にする必要がある（高精度の位置決めを行う必要がある）。このような高精度の位置決めを行うことは、従来技術であれば上述したように困難である。もっとも、本実施例の「第２段階目の位置決め」は、「第１段階目の位置決め」で裏ユニット７０（遊技盤側挿入部２０１，２０２、第１リブ部２０４、第２リブ部２０５）の「ズレ方向」への移動がＨ１以内に制限された状態で行われるので、「第２段階目の位置決め」においては、裏ユニット７０（遊技盤側挿入部２０１，２０２、第１リブ部２０４、第２リブ部２０５）が「ズレ方向」へ大きくズレることがない。このため、容易に遊技盤側挿入部２０１，２０２、第１リブ部２０４、第２リブ部２０５を裏ユニット側被挿入部７０１（被挿入空間７０１ａ）に挿入することができ、ひいては、容易に高精度の位置決め（第２段階目の位置決め）を行うことができる。例えば、遊技盤側挿入部２０１，２０２、第１リブ部２０４、第２リブ部２０５の外壁から裏ユニット側被挿入部７０１（被挿入空間７０１ａ）の内壁までの「ズレ方向」の長さＨ２を小さくすることで高精度の位置決めを行うようにしたとしても、裏ユニット７０（遊技盤側挿入部２０１，２０２、第１リブ部２０４、第２リブ部２０５）の「ズレ方向」への移動がＨ１以内に制限された状態で行われるので、容易に遊技盤側挿入部２０１，２０２、第１リブ部２０４、第２リブ部２０５を裏ユニット側被挿入部７０１（被挿入空間７０１ａ）に挿入することができる。
【００８３】
以上のように本実施例のパチンコ機１では、「第１段階目の位置決め」および「第２段階目の位置決め」を行うので、容易に高精度の位置決めを行うことができる。この結果、遊技盤２０に裏ユニット７０を取り付ける際の作業性を向上させることが可能となる。
【００８４】
また、本実施例のパチンコ機１では、裏ユニット側被挿入部７０１（被挿入空間７０１ａ）には、遊技盤側挿入部を１つだけ挿入するのではなく、２つの遊技盤側挿入部２０１，２０２、遊技盤側被挿入部２０３、第１リブ部２０４、第２リブ部２０５を挿入する。従って、更に高い精度で位置決め（第２段階目の位置決め）を行うことができる。
【００８５】
また、本実施例のパチンコ機１では、遊技盤２０のビス穴Ｈは遊技盤側挿入部２０１，２０１に設けられ、裏ユニット７０のビス穴Ｈは遊技盤側挿入部２０１，２０１が挿入される裏ユニット側被挿入部７０１（被挿入空間７０１ａ）に設けられている。換言すると、「第２段階目の位置決め」が行われる際に係合する部位にビス穴が設けられている。
【００８６】
ここで、従来技術においては、位置決めが行われる部位（位置決め穴、位置決めボス）から離れた位置にビス穴が設けられているため、遊技盤や裏ユニットに製造誤差があったり、これらが変形したりすると、位置決めを行っても、双方に設けられたビス穴が重ならないことがあるという問題があった。
【００８７】
これに対して、パチンコ機１では、上述のように「第２段階目の位置決め」が行われる際に係合する部位にビス穴Ｈが設けられているので、位置決めに係る部位からビス穴Ｈが離れることがない。この結果、「第２段階目の位置決め」を行えば高い精度で遊技盤２０のビス穴Ｈと裏ユニット７０のビス穴Ｈが重なることとなり、これらのビス穴ＨにビスＳを締結させ易くなる。この結果、遊技盤２０に裏ユニット７０を取り付ける際の作業性を向上させることが可能となる。
【００８８】
また、本実施例のパチンコ機１では、２つの遊技盤側挿入部２０１，２０２の間にはこれらを連結する第１リブ部２０４が設けられており、下側の遊技盤側挿入部２０２と遊技盤側被挿入部２０３の間にはこれらを連結する第２リブ部２０５が設けられている。このため、遊技盤側挿入部２０１，２０２、遊技盤側被挿入部２０３にかかる「ズレ方向」の力に抗することができ、これらを補強することができる。特に、遊技盤側挿入部２０１，２０２は、裏ユニット側被挿入部７０１との間に形成される間隙が小さいので、裏ユニット側被挿入部７０１の内壁に当接し易い。このため、遊技盤側挿入部２０１，２０２は、所定の大きさ以上のズレ方向の力を受けて変形してしまう虞がある。また、遊技盤側挿入部２０１，２０２は、内部にビス穴Ｈが形成されているため（中空であるため）、「ズレ方向」の力に屈しやすくなり、この場合は変形してしまう虞がある。この点、遊技盤側挿入部２０１，２０２は上述のように補強されているので、これらの虞を軽減することができる。
【００８９】
さらに、遊技盤２０に裏ユニット７０を取り付けた後においても、第１リブ部２０４、第２リブ部２０５が設けられているので、遊技盤側挿入部２０１，２０２、遊技盤側被挿入部２０３にかかる「ズレ方向」の力に抗することができる。例えば、遊技盤２０に裏ユニット７０を取り付けた後に、遊技盤２０や裏ユニット７０にズレ方向の力がかかった場合や、上述した２本のビスＳのうち１本しか締結されていない場合であっても、遊技盤側挿入部２０１，２０２が変形してしまう虞を軽減することができる。
【００９０】
また、本実施例のパチンコ機１では、裏ユニット側被挿入部７０１の開口部は、遊技盤側挿入部２０１，２０２だけでなく、第１リブ部および第２リブ部も受け入れ可能な形状を有しているので、第１リブ部および第２リブ部を大型化することができる。この結果、遊技盤側挿入部２０１，２０２、遊技盤側被挿入部２０３を更に補強することが可能となる。
【００９１】
また、本実施例のパチンコ機１では、裏ユニット側被挿入部７０１（被挿入空間７０１ａ）に挿入される「遊技盤側挿入部２０１，２０２、遊技盤側被挿入部２０３、第１リブ部２０４、第２リブ部２０５」の先端部（裏ユニット７０側の端部）は平面状（平坦）に形成されており、且つ、遊技盤２０の後面からこれらの先端部までの距離は互いに同じである。すなわち、遊技盤側挿入部２０１，２０２、遊技盤側被挿入部２０３、第１リブ部２０４、第２リブ部２０５の先端部（裏ユニット７０側の端部）は、いわゆる面一に形成されている。このため、「第２段階目の位置決め」を行った結果、図１１（ｃ）に示すように、遊技盤側挿入部２０１，２０２、遊技盤側被挿入部２０３、第１リブ部２０４、第２リブ部２０５の先端部全てを裏ユニット７０の前面に当接させることができる。この結果、裏ユニット７０（締結部位７０Ａ）にかかる前方向（遊技盤２０側）の力に抗することができ、裏ユニット７０（締結部位７０Ａ）を補強することが可能となる。例えば、図１１（ｄ）に示すようにビスＳを締結させた際に、その締結力によって裏ユニット７０（締結部位７０Ａ）が歪んだり破損したりすることを抑制することが可能となる。
【００９２】
また、上述したように、遊技盤側挿入部２０１，２０２、遊技盤側被挿入部２０３、第１リブ部２０４、第２リブ部２０５の先端部（ここではまとめて「遊技盤側先端面」という）は、面一に形成されているので、「第１段階目の位置決め」がされた後においては、裏ユニット側被挿入部７０１の先端部（遊技盤２０側の端部）を「遊技盤側先端面」に当接させつつ裏ユニット７０を「ズレ方向」に移動させて（スライドさせて）、「第２段階目の位置決め」が行われる位置を探ることができる。この結果、「第２段階目の位置決め」を円滑に行うことができる。
【００９３】
また、本実施例のパチンコ機１では、締結部位２０Ａの第１リブ部２０４、第２リブ部２０５は、裏ユニット７０の開口部を囲む外壁（側壁）に沿って（平行に）形成されている。ここで、裏ユニット７０のように外壁を有する遊技部品は、当然ながら、その外壁に対して力を受けることが多い。この点、本実施例では、この外壁に沿って第１リブ部２０４、第２リブ部２０５が設けられているので、締結部位２０Ａにおいて上述の力のかかる面積を大きくすることができ（力を分散させることができ）、裏ユニット７０（締結部位７０Ａ）が歪んだり破損したりすることを抑制することが可能となる。尚、互いに異なる方向（例えば外壁と平行な方向と直交する方向）に延びるリブ部を複数設けることとしてもよく、こうした場合は、複数の方向からの力に抗することができる。
【００９４】
Ｃ−２．遊技盤２０の締結部位２０Ｄ、裏ユニット７０の締結部位７０Ｄ  ：
次に、「遊技盤２０の締結部位２０Ｄ（図７参照）」および「裏ユニット７０の締結部位７０Ｄ（図８参照）」について説明する。図１２は、遊技盤２０の締結部位２０Ｄと、この締結部位２０Ｄに締結される裏ユニット７０の締結部位７０Ｄを抜き出して示す説明図である。なかでも、図１２（ａ）は、締結部位２０Ｄおよび締結部位７０Ｄの後方斜視図であり、図１２（ｂ）は、その前方斜視図である。尚、図１２では、位置決めに係る構成以外の構成については、その形状を簡略化している。
【００９５】
＜遊技盤２０の締結部位２０Ｄ＞
図１２に示すように、遊技盤２０の締結部位２０Ｄには、後方（裏ユニット７０側）に向かって突出した遊技盤側挿入部２１１が設けられている。遊技盤側挿入部２１１にはビス穴Ｈが設けられており、このビス穴Ｈは、遊技盤側挿入部２１１および遊技盤２０を前後方向（裏ユニット７０の取り付け方向）に貫通させて形成されている。従って、遊技盤側挿入部２１１は、少なくとも後方（裏ユニット７０側、本実施例では前方および後方）が開口された円筒形状を有している。
【００９６】
また、遊技盤側挿入部２１１の斜め上方には、後方（裏ユニット７０側）に向かって突出した遊技盤側被挿入部２１２が設けられている。この遊技盤側被挿入部２１２には、後方（裏ユニット７０側）が開放されると共に前後方向（裏ユニット７０の取り付け方向）に伸びる円柱状の被挿入空間２１２ａが設けられている。従って、遊技盤側被挿入部２１２も、少なくとも後方（裏ユニット７０側）が開口された円筒形状を有している。
【００９７】
また、遊技盤側挿入部２１１の外壁と遊技盤側被挿入部２１２の外壁との間には、後方（裏ユニット７０側）に向かって突出すると共に遊技盤側挿入部２１１と遊技盤側被挿入部２１２とを連結するリブ部２１３が形成されている。
【００９８】
上述した遊技盤側挿入部２１１、遊技盤側被挿入部２１２、リブ部２１３の先端部（裏ユニット７０側の端部）は平面状（平坦）に形成されており、且つ、遊技盤２０の後面からこれらの先端部までの距離は互いに同じである。すなわち、遊技盤側挿入部２１１、遊技盤側被挿入部２１２、リブ部２１３の先端部（裏ユニット７０側の端部）は、いわゆる面一に形成されている。
【００９９】
＜裏ユニット７０の締結部位７０Ｄ＞
一方、裏ユニット７０の締結部位７０Ｄには、遊技盤側挿入部２１１、リブ部２１３の外郭（輪郭）に沿った形状であると共に前方（遊技盤２０側）に突出した裏ユニット側被挿入部７１１が設けられている。この裏ユニット側被挿入部７１１の形状は、詳しくは、遊技盤側挿入部２１１、リブ部２１３の形状を裏ユニット７０に投影し、この形状が投影された領域（投影領域）の外郭（輪郭）に沿わせた形状（あるいは投影領域の少なくとも一部を囲繞する形状）である。裏ユニット側被挿入部７１１をこのような形状とすることによって、この裏ユニット側被挿入部７１１に、遊技盤側挿入部２１１、リブ部２１３がまとめて挿入される被挿入空間７１１ａを設けている。
【０１００】
裏ユニット７０のビス穴Ｈは、遊技盤２０のビス穴Ｈに対応する裏ユニット７０の部位を貫通させて設けられている。ここで、遊技盤２０のビス穴Ｈは、遊技盤側挿入部２１１に設けられているので、このビス穴Ｈに対応する裏ユニット７０の部位は上述の投影領域内であり、換言すると、裏ユニット側被挿入部７１１（被挿入空間７１１ａ）が設けられた部位である。従って、裏ユニット７０のビス穴Ｈは、上述の投影領域内に設けられており、換言すると、裏ユニット側被挿入部７１１（被挿入空間７１１ａ）に設けられていることとなる。
【０１０１】
裏ユニット側被挿入部７１１の斜め上方には、遊技盤側被挿入部２１２（被挿入空間２１２ａ）に対応する位置に裏ユニット側挿入部７１２が設けられている。裏ユニット側挿入部７１２は、前方（遊技盤２０側）に突出した円錐台形状を有しており、遊技盤側被挿入部２１２の被挿入空間２１２ａに挿入される。
【０１０２】
＜締結部位２０Ｄに対する締結部位７０Ｄの取り付け＞
以上のように、遊技盤２０の締結部位２０Ｄは、締結部位２０Ａから遊技盤側挿入部２０１と第１リブ部２０４を取り除いた構成を有しており、この締結部位２０Ｄにおいては、遊技盤側挿入部２１１が締結部位２０Ａの遊技盤側挿入部２０２に相当し、遊技盤側被挿入部２１２が締結部位２０Ａの遊技盤側被挿入部２０３に相当し、リブ部２１３が締結部位２０Ａの第２リブ部２０５に相当する。また、裏ユニット７０の締結部位７０Ｄでは、裏ユニット側被挿入部７１１の形状が締結部位７０Ａの裏ユニット側被挿入部７０１の形状と異なっており、この締結部位７０Ｄにおいては、裏ユニット側被挿入部７１１が締結部位７０Ａの裏ユニット側被挿入部７０１に相当し、裏ユニット側挿入部７１２が締結部位７０Ａの裏ユニット側挿入部７０２に相当する。
【０１０３】
すなわち、締結部位２０Ｄおよび締結部位７０Ｄには、締結部位２０Ａおよび締結部位２０Ａにおける「第１段階目の位置決め」に係る構成に相当する構成、および、締結部位２０Ａおよび締結部位２０Ａにおける「第２段階目の位置決め」に係る構成に相当する構成が設けられている。従って、締結部位２０Ｅに締結部位７０Ｅを取り付けるに際しても、「第１段階目の位置決め」および「第２段階目の位置決め」が行われる。尚、これらの工程については、締結部位２０Ａに締結部位７０Ａを取り付ける際の上述の工程と近似しているので、以下に簡単に説明する。
【０１０４】
先ず、「第１段階目の位置決め」として、裏ユニット側挿入部７１２の先端側を遊技盤側被挿入部２１２（被挿入空間２１２ａ）に挿入する（係合する）。こうすることによっても、遊技盤２０に対する裏ユニット７０の「ズレ方向」への移動がＨ１以内に制限された状態となる。続いて、「第２段階目の位置決め」として、裏ユニット側被挿入部７１１（被挿入空間７１１ａ）に、遊技盤側挿入部２１１、リブ部２１３の先端側を挿入する。こうすることによっても、遊技盤２０に対する裏ユニット７０の「ズレ方向」への移動がＨ１よりも短いＨ２以内に制限された状態となる。そして、遊技盤側挿入部２１１、リブ部２１３の先端側が裏ユニット側被挿入部７１１（被挿入空間７１１ａ）のビス穴Ｈが形成された面（投影領域）に当接して、遊技盤側挿入部２１１のビス穴Ｈと裏ユニット側被挿入部７１１（被挿入空間７１１ａ）のビス穴Ｈとが連通したら、これらのビス穴ＨにビスＳを締結させる。
【０１０５】
このように遊技盤側挿入部２１１を１つしか有していない場合であっても、「第１段階目の位置決め」および「第２段階目の位置決め」を行うことができ、これらの位置決めに係る上述の効果（締結部位２０Ａおよび締結部位２０Ａを締結させる場合と同様の効果）を奏することができる。
【０１０６】
Ｃ−３．遊技盤２０の締結部位２０Ｅ、裏ユニット７０の締結部位７０Ｅ  ：
次に、「遊技盤２０の締結部位２０Ｅ（図７参照）」および「裏ユニット７０の締結部位７０Ｅ（図８参照）」について説明する。図１３は、遊技盤２０の締結部位２０Ｅと、この締結部位２０Ｅに締結される裏ユニット７０の締結部位７０Ｅを抜き出して示す説明図である。なかでも、図１３（ａ）は、締結部位２０Ｅおよび締結部位７０Ｅの後方斜視図であり、図１３（ｂ）は、その前方斜視図である。尚、図１３では、位置決めに係る構成以外の構成については、その形状を簡略化している。
【０１０７】
＜遊技盤２０の締結部位２０Ｅ＞
図１３に示すように、遊技盤２０の締結部位２０Ｅには、後方（裏ユニット７０側）に向かって突出した遊技盤側挿入部２２１，２２２が上下に２つ並べて設けられている。それぞれの遊技盤側挿入部２２１，２２２にはビス穴Ｈが設けられており、このビス穴Ｈは、遊技盤側挿入部２２１，２２２および遊技盤２０を前後方向（裏ユニット７０の取り付け方向）に貫通させて形成されている。従って、遊技盤側挿入部２２１，２２２は、少なくとも後方（裏ユニット７０側、本実施例では前方および後方）が開口された円筒形状を有している。
【０１０８】
また、２つの遊技盤側挿入部２２１，２２２の外壁間には、後方（裏ユニット７０側）に向かって突出すると共に２つの遊技盤側挿入部２２１，２２２を連結するリブ部２２３が形成されている。
【０１０９】
上述した２つの遊技盤側挿入部２２１，２２２、リブ部２２３の先端部（裏ユニット７０側の端部）は平面状（平坦）に形成されており、且つ、遊技盤２０の後面からこれらの先端部までの距離は互いに同じである。すなわち、２つの遊技盤側挿入部２２１，２２２、リブ部２２３の先端部（裏ユニット７０側の端部）は、いわゆる面一に形成されている。
【０１１０】
＜裏ユニット７０の締結部位７０Ｅ＞
一方、裏ユニット７０の締結部位７０Ｅには、２つの遊技盤側挿入部２２１，２２２、リブ部２２３の外郭（輪郭）に沿った形状であると共に前方（遊技盤２０側）に突出した裏ユニット側被挿入部７２１が設けられている。この裏ユニット側被挿入部７２１の形状は、詳しくは、２つの遊技盤側挿入部２２１，２２２、リブ部２２３の形状を裏ユニット７０に投影し、この形状が投影された領域（投影領域）の外郭（輪郭）に沿わせた形状（あるいは投影領域の少なくとも一部を囲繞する形状）である。裏ユニット側被挿入部７２１をこのような形状とすることによって、この裏ユニット側被挿入部７２１に、２つの遊技盤側挿入部２２１，２２２、リブ部２２３がまとめて挿入される被挿入空間７２１ａを設けている。
【０１１１】
裏ユニット７０のビス穴Ｈは、遊技盤２０のビス穴Ｈに対応する裏ユニット７０の部位を貫通させて設けられている。ここで、遊技盤２０のビス穴Ｈは、２つの遊技盤側挿入部２２１，２２２に設けられているので、これらのビス穴Ｈに対応する裏ユニット７０の部位は上述の投影領域内であり、換言すると、裏ユニット側被挿入部７２１（被挿入空間７２１ａ）が設けられた部位である。従って、裏ユニット７０のビス穴Ｈは、上述の投影領域内に設けられており、換言すると、裏ユニット側被挿入部７２１（被挿入空間７２１ａ）に設けられていることとなる。
【０１１２】
＜締結部位２０Ｅに対する締結部位７０Ｅの取り付け＞
以上のように、遊技盤２０の締結部位２０Ｅは、締結部位２０Ａから遊技盤側被挿入部２０３と第２リブ部２０５を取り除いた構成を有しており、この締結部位２０Ｅにおいては、遊技盤側挿入部２２１，２２２が締結部位２０Ａの遊技盤側挿入部２０１，２０２に相当し、リブ部２２３が締結部位２０Ａの第１リブ部２０４に相当する。また、裏ユニット７０の締結部位７０Ｅでは、締結部位７０Ａから裏ユニット側挿入部７０２を取り除いた形状であり、且つ、裏ユニット側被挿入部７２１の形状が締結部位７０Ａの裏ユニット側被挿入部７０１の形状と異なっており、この締結部位７０Ｅにおいては、裏ユニット側被挿入部７２１が締結部位７０Ａの裏ユニット側被挿入部７０１に相当する。
【０１１３】
すなわち、締結部位２０Ｅおよび締結部位７０Ｅには、締結部位２０Ａおよび締結部位２０Ａにおける「第１段階目の位置決め」に係る構成に相当する構成は設けられておらず、締結部位２０Ａおよび締結部位２０Ａにおける「第２段階目の位置決め」に係る構成に相当する構成が設けられている。従って、締結部位２０Ｅおよび締結部位７０Ｅにおいては「第１段階目の位置決め」は行われず、他の締結部位において「第１段階目の位置決め」が行われた状態で「第２段階目の位置決め」が行われる。尚、この工程については、締結部位２０Ａに締結部位７０Ａを取り付ける際の上述の工程と近似しているので、以下に簡単に説明する。
【０１１４】
他の締結部位において「第１段階目の位置決め」が行われた状態となったら、「第２段階目の位置決め」として、裏ユニット側被挿入部７２１（被挿入空間７２１ａ）に、遊技盤側挿入部２２１，２２２、リブ部２２３の先端側を挿入する。こうすることによっても、遊技盤２０に対する裏ユニット７０の「ズレ方向」への移動がＨ１よりも短いＨ２以内に制限された状態となる。そして、遊技盤側挿入部２２１，２２２、リブ部２２３の先端側が裏ユニット側被挿入部７２１（被挿入空間７２１ａ）のビス穴Ｈが形成された面（投影領域）に当接して、遊技盤側挿入部２２１，２２２のビス穴Ｈと裏ユニット側被挿入部７２１（被挿入空間７２１ａ）のビス穴Ｈとが連通したら、これらのビス穴ＨにビスＳを締結させる。
【０１１５】
以上のように、「第２段階目の位置決め」が行われる部位（締結部位２０Ｅおよび締結部位７０Ｅ）が「第１段階目の位置決め」が行われる部位（他の締結部位）から離れた位置にあっても、「第２段階目の位置決め」を行うことができ、「第２段階目の位置決め」に係る上述の効果（締結部位２０Ａおよび締結部位２０Ａを締結させる場合と同様の効果）を奏することができる。
【０１１６】
尚、本実施例の裏ユニット側挿入部７０２，７１２は「第１の挿入部」として捉えることができ、遊技盤側被挿入部２０３、２１２は「第１の被挿入部」として捉えることができる。また、本実施例の遊技盤側挿入部２０１，２０２，２１１，２２１，２２２は「第２の挿入部」および「第１の部位」として捉えることができ、裏ユニット側被挿入部７０１，７１１，７２１は「第２の被挿入部」および「第２の部位」として捉えることができる。また、本実施例の第１リブ部２０４、第２リブ部２０５、リブ部２１３、リブ部２２３は「補強部」として捉えることができる。また、裏ユニット側挿入部７０２，７１２、遊技盤側被挿入部２０３、２１２は「第１の移動制限手段」として捉えることができ、遊技盤側挿入部２０１，２０２，２１１，２２１，２２２、裏ユニット側被挿入部７０１，７１１，７２１は「第２の移動制限手段」として捉えることができる。
【０１１７】
Ｄ．変形例  ：
次に、本発明の変形例について説明する。本発明においては、上述した締結部位の一部または全部として、次のような締結部位を採用してもよい。
【０１１８】
図１４は、変形例における遊技盤２０の締結部位２０Ｆと、この締結部位２０Ｆに締結される裏ユニット７０の締結部位７０Ｆを抜き出して示す説明図である。なかでも、図１４（ａ）は、変形例の締結部位の後方斜視図であり、図１４（ｂ）は、その前方斜視図である。尚、図１４では、位置決めに係る構成以外の構成については、その形状を簡略化している。
【０１１９】
＜遊技盤２０の締結部位２０Ｆ＞
変形例における遊技盤２０の締結部位２０Ｆには、遊技盤２０の後面の円形状領域が前方側に一段階押し下げられた大径被挿入部２３１（大径の円柱状の空間）が設けられており、この大径被挿入部２３１の前面の円形状領域（上述の円形状領域より小径の領域）が更に前方側に一段階押し下げられた小径被挿入部２３２（小径の円柱状の空間）が設けられている。また、小径被挿入部２３２の前面の中心位置には、該前面を有する前壁（遊技盤２０）を前後方向（裏ユニット７０の取り付け方向）に貫通させてビス穴Ｈが形成されている。
【０１２０】
＜裏ユニット７０の締結部位７０Ｆ＞
一方、変形例における裏ユニット７０の締結部位７０Ｆには、小径被挿入部２３２に対応する位置に前方（遊技盤２０側）に突出した挿入部７３１が設けられている。この挿入部７３１の形状は、小径被挿入部２３２の形状（小径の円形）を裏ユニット７０に投影し、この形状が投影された領域（投影領域）を前方（遊技盤２０側）に突出させた形状となっている。また、挿入部７３１の内部にはビス頭収納部７３２が設けられている。ビス頭収納部７３２は、ビスＳの頭部の径より大きな径の円柱状の空間であり、後方側に開口部が形成されている。ビス頭収納部７３２には、ビス穴ＨにビスＳを締結するに際して、開口部からビスＳ全体（頭部も含む）が挿入される。そして、ビス穴ＨにビスＳが締結された後は、ビス頭収納部７３２にビスＳの頭部が収納されることとなる。
【０１２１】
＜締結部位２０Ｆに対する締結部位７０Ｆの取り付け＞
次に、上述した「遊技盤２０の締結部位２０Ｆ」に「裏ユニット７０の締結部位７０Ｆ」を取り付ける際の工程について説明する。図１５および図１６は、この取り付け過程を説明するための説明図であり、なかでも、図１５（ｂ）は、図１５（ａ）に示す面Ｙにおける断面図である。遊技盤２０に裏ユニット７０を取り付ける工程が開始された当初は、当然ながら、図１５（ｂ）に示すように、裏ユニット７０（締結部位７０Ｆ）は遊技盤２０（締結部位２０Ｆ）から離されて配置される。
【０１２２】
その後、裏ユニット７０（締結部位７０Ｆ）を遊技盤２０（締結部位２０Ｆ）に近づけていき、図１６（ａ）に示すように、挿入部７３１の先端側を大径被挿入部２３１に挿入する（係合する）。ここで、挿入部７３１の先端側の外径は、大径被挿入部２３１の開口部の内径よりも、Ｈ１（例えば１．０〜２．５ｍｍ）だけ小さく形成されている。従って、挿入部７３１の先端側が大径被挿入部２３１に挿入された状態においては、挿入部７３１の外壁から大径被挿入部２３１の内壁までの「ズレ方向」の長さ、すなわち、挿入部７３１の外壁と大径被挿入部２３１の内壁との間に形成される間隙の「ズレ方向」の長さは、最大でＨ１（例えば１．０〜２．５ｍｍ）となる。この状態において、裏ユニット７０を「ズレ方向」に最大でＨ１移動させると、挿入部７３１の外壁が大径被挿入部２３１の内壁に当接することとなる。つまり、この状態は、遊技盤２０に対する裏ユニット７０の「ズレ方向」への移動がＨ１以内に制限された状態である。
【０１２３】
上述のように、挿入部７３１の先端側を大径被挿入部２３１に挿入することによって、遊技盤２０（第１の遊技部品）に対する裏ユニット７０（第２の遊技部品）の「ズレ方向」への移動をＨ１以内（第１の範囲）に制限する工程は、変形例における「第１段階目の位置決め」であり、「第１位置決め工程」として捉えることができる。
【０１２４】
このように変形例における「第１段階目の位置決め」を行うことによって、裏ユニット７０の「ズレ方向」への移動がＨ１以内に制限された状態としたら、この状態のまま、さらに裏ユニット７０（締結部位７０Ｆ）を遊技盤２０（締結部位２０Ｆ）に近づけていく。そして、図１６（ｂ）に示すように、挿入部７３１の先端側を小径被挿入部２３２に挿入する（係合する）。ここで、上述したように、挿入部７３１の形状は、小径被挿入部２３２の形状（小径の円形）を裏ユニット７０に投影し、この形状が投影された領域（投影領域）を前方（遊技盤２０側）に突出させた形状である。従って、挿入部７３１の先端側が小径被挿入部２３２に挿入された状態においては、挿入部７３１の外壁から小径被挿入部２３２の内壁までの「ズレ方向」の長さ、すなわち、挿入部７３１の外壁と小径被挿入部２３２の内壁との間に形成される間隙の「ズレ方向」の長さは、最大でもＨ１よりも短いＨ２（例えば０〜０．２ｍｍ）となる。この状態において、挿入部７３１を「ズレ方向」に最大でＨ２移動させると、挿入部７３１の外壁が小径被挿入部２３２の内壁に当接することとなる。つまり、この状態は、遊技盤２０に対する裏ユニット７０の「ズレ方向」への移動がＨ１よりも短いＨ２以内に制限された状態である。
【０１２５】
上述のように、挿入部７３１の先端側を小径被挿入部２３２に挿入することによって、遊技盤２０（第１の遊技部品）に対する裏ユニット７０（第２の遊技部品）の「ズレ方向」への移動をＨ１よりも短いＨ２以内（第１の範囲より狭い第２の範囲）に制限する（位置決めを行う）工程は、変形例における「第２段階目の位置決め」であり、「第２位置決め工程」として捉えることができる。
【０１２６】
このように「第２段階目の位置決め」を行うことによって、裏ユニット７０の「ズレ方向」への移動がＨ２以内に制限された状態としたら、この状態のまま、さらに裏ユニット７０（締結部位７０Ｆ）を遊技盤２０（締結部位２０Ｆ）に近づけていく。そして、図１６（ｃ）に示すように、挿入部７３１の先端部が小径被挿入部２３２のビス穴Ｈが形成された面に当接して、挿入部７３１のビス穴Ｈと小径被挿入部２３２のビス穴Ｈとが連通したら、図１６（ｄ）に示すように、ビスＳ全体をビス頭収納部７３２に挿入し、これらのビス穴ＨにビスＳを締結させる。
【０１２７】
以上のように、変形例において裏ユニット７０の位置決めを行うに際しては、先ず、挿入部７３１の先端側を大径被挿入部２３１に挿入することによって、裏ユニット７０（挿入部７３１）の「ズレ方向」への移動をＨ１以内に制限する「第１段階目の位置決め」を行う（図１６（ａ）参照）。そして、このように裏ユニット７０の「ズレ方向」への移動がＨ１以内に制限された状態において、挿入部７３１の先端側を小径被挿入部２３２に挿入することによって、裏ユニット７０の「ズレ方向」への移動をＨ１よりも短いＨ２以内に制限する「第２段階目の位置決め」を行う（図１６（ｂ）参照）。
【０１２８】
このように変形例でも、「第１段階目の位置決め」だけでは位置決めを終了しないので、「第１段階目の位置決め」を行った結果としてビス穴Ｈ同士（遊技盤２０のビス穴Ｈと裏ユニット７０のビス穴Ｈ）が互いにズレていてもよい。このため、「第１段階目の位置決め」においては、裏ユニット７０の「ズレ方向」への移動の制限を厳格にする必要がない（高精度の位置決めを行う必要がない）。従って、「第１段階目の位置決め」を容易に行うことができ、ひいては、位置決め作業を容易に開始することができる。例えば、挿入部７３１の外壁から大径被挿入部２３１の内壁までの「ズレ方向」の長さＨ１が長くてもよいので、挿入部７３１の先端側の外径と、大径被挿入部２３１の開口部の内径（被挿入空間２０３ａの開口部の径）との差を大きくすることができる。この結果、「第１段階目の位置決め」において、挿入部７３１の先端側を大径被挿入部２３１に挿入し易くなる。
【０１２９】
一方、「第２段階目の位置決め」においては、その後にビスＳが締結されるので、ビス穴Ｈ同士（遊技盤２０のビス穴Ｈと裏ユニット７０のビス穴Ｈ）を重ねる必要がある。すなわち、「第２段階目の位置決め」においては、裏ユニット７０の「ズレ方向」への移動の制限を厳格にする必要がある（高精度の位置決めを行う必要がある）。この点、「第２段階目の位置決め」は、「第１段階目の位置決め」で裏ユニット７０（挿入部７３１）の「ズレ方向」への移動がＨ１以内に制限された状態で行われるので、「第２段階目の位置決め」において裏ユニット７０（挿入部７３１）がズレ方向へ大きくズレることがない。このため、容易に挿入部７３１を小径被挿入部２３２に挿入することができ、ひいては、容易に高精度の位置決め（第２段階目の位置決め）を行うことができる。例えば、挿入部７３１の外壁から小径被挿入部２３２の内壁までの「ズレ方向」の長さＨ２を小さくすることで高精度の位置決めを行うようにしたとしても、裏ユニット７０（挿入部７３１）の「ズレ方向」への移動がＨ１以内に制限された状態で行われるので、容易に挿入部７３１を小径被挿入部２３２に挿入することができる。
【０１３０】
以上のように変形例でも、「第１段階目の位置決め」および「第２段階目の位置決め」を行うので、容易に高精度の位置決めを行うことができる。この結果、遊技盤２０に裏ユニット７０を取り付ける際の作業性を向上させることが可能となる。
【０１３１】
また、変形例では、裏ユニット７０のビス穴Ｈは挿入部７３１に設けられ、遊技盤２０のビス穴Ｈは挿入部７３１が挿入される小径被挿入部２３２に設けられている。換言すると、「第２段階目の位置決め」が行われる際に係合する部位にビス穴が設けられている。このため、「第２段階目の位置決め」が行われる部位からビス穴Ｈが離れることがない。この結果、「第２段階目の位置決め」を行えば高い精度で遊技盤２０のビス穴Ｈと裏ユニット７０のビス穴Ｈが重なることとなり、これらのビス穴ＨにビスＳを締結させ易くなる。この結果、遊技盤２０に裏ユニット７０を取り付ける際の作業性を向上させることが可能となる。
【０１３２】
また、変形例では、挿入部７３１の内部にビス頭収納部７３２が設けられているので、ビス穴Ｈの前後方向（裏ユニット７０の取り付け方向）の長さを短くすることができる。この結果、ビスＳの長さを短くすることができ、遊技盤２０に裏ユニット７０を取り付ける際の作業性を向上させることが可能となる。
【０１３３】
また、変形例では、「第１段階目の位置決め」がされた後においては、挿入部７３１の先端部を大径被挿入部２３１の前面に当接させつつ裏ユニット７０を「ズレ方向」に移動させて（スライドさせて）、「第２段階目の位置決め」が行われる位置を探ることができる。この結果、「第２段階目の位置決め」を円滑に行うことができる。
【０１３４】
尚、変形例の大径被挿入部２３１は「第１の被挿入部」として捉えることができ、小径被挿入部２３２は「第２の被挿入部」として捉えることができる。
【０１３５】
以上、本発明の実施例および変形例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１３６】
例えば、上述した実施例および変形例においては、遊技盤２０に形成された遊技領域２１に向けて遊技球を発射することによって遊技を行うパチンコ機１に本発明を適用したが、外周面に複数種類の図柄が描かれた回胴を回転させ、該回胴を停止させることによって遊技を行うスロットマシン（回胴式遊技機）に本発明を適用することとしてもよい。
【０１３７】
また、上述した実施例および変形例においては、本発明における「第１の遊技部品」として遊技盤２０を採用し、「第２の遊技部品」として裏ユニット７０を採用したが、種々の遊技部品を本発明における「第１の遊技部品」や「第２の遊技部品」として採用することができる。例えば、「第１の遊技部品」として制御基板を収納する収納ケースを採用し、「第２の遊技部品」として該収納ケースに収納される制御基板を採用することとしてもよい。
【０１３８】
また、上述した実施例および変形例における遊技盤２０の締結部位の構成を裏ユニット７０の締結部位とし、裏ユニット７０の締結部位の構成を遊技盤２０の構成としてもよい。
【０１３９】
また、上述した実施例および変形例では、「第１段階目の位置決め」および「第２段階目の位置決め」を行うこととしたが、これらの位置決めのうち「第２段階目の位置決め」のみを行うこととしてもよい。例えば、上述した実施例において、締結部位２０Ａ〜２０Ｄを締結部位２０Ｅと同様の構成とし、締結部位７０Ａ〜７０Ｄを締結部位７０Ｅと同様の構成としてもよい。このような構成とした場合であっても、当然ながら、「第２段階目の位置決め」を行うことによる効果を奏することができる。
【０１４０】
また、上述した実施例では、締結部位２０Ａ〜２０Ｃ，２０Ｅには、２つの遊技盤側挿入部２０１，２０２が設けられていることとしたが、これらのうち何れか一方のみを設けることとしてもよい。この場合であっても、遊技盤側挿入部の外壁にリブ部を設けることとすると、この遊技盤側挿入部を補強することができる。
【０１４１】
また、上述した実施例および変形例では、「第２段階目の位置決め」の際に互いに係合する第１の部位と第２の部位として、挿入部（遊技盤側挿入部２０１，２０２，２１１，２２１，２２２、挿入部７３１）と該挿入部に挿入される被挿入部（裏ユニット側被挿入部７０１，７１１，７２１、小径被挿入部２３２）を例示したが、第１の部位と第２の部位としては互いに係合する（係わり合う）ものであればよく、種々の構成を採用することができる。例えば、第１の部位として上向きのフック部を設け、第２の部位として下向きのフック部を設け、上向きのフック部に下向きのフック部を掛けることによって、「第２段階目の位置決め」を行うこととしてもよい。もちろん、この場合は、それぞれのフック部にビス穴Ｈが設けられる。また、第１の部位として両面テープや接着剤などの粘着剤が付された部位を設け、第２の部位として第１の部位の配置箇所を示す目印（マーク）が付された部位を設け、第１の部位を第２の部位に貼り付けることによって、「第２段階目の位置決め」を行うこととしてもよい。もちろん、この場合は、粘着剤が付された部位と、目印が付された部位とにビス穴Ｈが設けられる。
【０１４２】
また、上述した実施例では、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。尚、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
また、上述した実施例または変形例のパチンコ機は、次のような遊技機として把握することもできる。すなわち、
＜把握例１＞
遊技媒体を利用して遊技を行う遊技機であって、
第１の遊技部品と、
前記第１の遊技部品に取り付けられた第２の遊技部品と、
前記第１の遊技部品に前記第２の遊技部品が取り付けられる前において、前記第１の遊技部品に対する前記第２の遊技部品の移動を第１範囲に制限する第１移動制限手段と、
前記第１の遊技部品に前記第２の遊技部品が取り付けられる前、且つ、前記第１移動制限手段によって前記第２の遊技部品の移動が前記第１の範囲に制限された後において、前記第１の遊技部品に対する前記第２の遊技部品の移動を前記第１の範囲よりも狭い第２の範囲に制限する第２移動制限手段と、
を備える
ことを特徴とする。
このような遊技機では、第２の遊技部品を第１の遊技部品に取り付ける際には、第１の遊技部品に対する第２の遊技部品の移動を制限する位置決めを行う。本発明では、この位置決めとして、第１の遊技部品に対する第２の遊技部品の移動を第１の範囲に制限することと、その状態で第２の遊技部品の移動を第１の範囲よりも狭い第２の範囲に制限することが行われる。このように本発明では、第２の遊技部品の移動を第１の範囲に制限するだけでは位置決めを終了しないので、この制限を行った結果として第２の遊技部品の取り付け位置がズレていてもよく、この制限においては、第２の遊技部品の移動を厳格に制限する必要がない。従って、第２の遊技部品の移動を第１の範囲に制限することを容易に行うことができ、ひいては、位置決め作業を容易に開始することができる。一方、第２の遊技部品の移動を第２の範囲に制限する場合は、その後に第２の遊技部品の取り付けが行われるので、第２の遊技部品の移動の制限を厳格にする必要がある（高精度の位置決めを行う必要がある）。このような高精度の位置決めを行うことは、従来技術であれば上述したように困難である。もっとも、本発明において第２の遊技部品の移動を第２の範囲に制限する場合は、既に第２の遊技部品の移動が第１の範囲に制限されているので、容易に高精度の位置決めを行うことができる。この結果、第１の遊技部品に第２の遊技部品を取り付ける際の作業性を向上させることが可能となる。
＜把握例２＞
また、本発明の遊技機は、
前記第１移動制限手段は、
前記第１の遊技部品および前記第２の遊技部品のうち、一方に設けられた第１の被挿入部と、他方に設けられると共に前記第１の被挿入部に挿入された第１の挿入部とを備え、
前記第２移動制限手段は、
前記第１の遊技部品および前記第２の遊技部品のうち、一方に設けられた第２の被挿入部と、他方に設けられると共に前記第２の被挿入部に挿入された第２の挿入部とを備え、
前記第１の遊技部品に前記第２の遊技部品が取り付けられる前において、
前記第１の被挿入部に前記第１の挿入部が挿入されている状態、且つ、前記第２の被挿入部に前記第２の挿入部が挿入されていない状態では、前記第１の被挿入部の内壁と前記第１の挿入部の外壁との間隔は第１の長さであり、
前記第１の被挿入部に前記第１の挿入部が挿入されている状態、且つ、前記第２の被挿入部に前記第２の挿入部が挿入されている状態では、前記第２の被挿入部の内壁と前記第２の挿入部の外壁との間隔は前記第１の長さより短い第２の長さである
こととしてもよい。
このような遊技機では、第１の被挿入部に第１の挿入部が挿入されている状態、且つ、第２の被挿入部に第２の挿入部が挿入されていない状態では、第１の被挿入部の内壁と第１の挿入部の外壁との間隔は第１の長さであるので、第１の遊技部品に対する第２の遊技部品の移動を第１の長さに制限することができる。これに対して、第１の被挿入部に第１の挿入部が挿入されている状態、且つ、第２の被挿入部に第２の挿入部が挿入されている状態では、第２の被挿入部の内壁と第２の挿入部の外壁との間隔は第２の長さであるので、第１の遊技部品に対する第２の遊技部品の移動を第２の長さに制限することができる。
＜把握例３＞
また、本発明の遊技機は、
前記第１の遊技部品は第１の締結穴を有し、
前記第２の遊技部品は第２の締結穴を有し、
前記第１の締結穴と前記第２の締結穴とに締結部材が締結されることによって、前記第２の遊技部品は前記第１の遊技部品に取り付けられており、
前記第１の締結穴および前記第２の締結穴のうち、一方は前記第２の挿入部に設けられており、他方は前記第２の被挿入部に設けられている
こととしてもよい。
従来技術においては、位置決めに係る部位（例えば位置決め穴、位置決めボス）から離れた位置に締結穴が設けられているため、第１の遊技部品や第２の遊技部品に製造誤差があったり、これらが変形したりすると、位置決めを行っても、双方に設けられた締結穴が重ならないことがあるという問題があった。この点、本発明は、第２の遊技部品の移動を第２の範囲に制限するための部位である第２の挿入部と第２の被挿入部に締結穴が設けられているので、これらの部位から締結穴が離れることがない。この結果、第２の遊技部品の移動を第２の範囲に制限すれば高い精度で第１の遊技部品の締結穴と第２の遊技部品の締結穴が重なることとなり、これらの締結穴に締結部材を締結させ易くなる。この結果、第１の遊技部品に第２の遊技部品を取り付ける際の作業性を向上させることが可能となる。
＜把握例４＞
また、本発明の遊技機は、
前記第２の挿入部の外壁には補強部が設けられており、
前記第２の被挿入部の開口部は、前記第２の挿入部と前記補強部とを受け入れ可能な形状を有している
こととしてもよい。
このような遊技機では、第２の被挿入部の内壁と第２の挿入部の外壁との間隔が第１の長さより短い第２の長さであるため、第２の挿入部が第２の被挿入部の内壁に当接し易い。このため、第２の挿入部は、所定の大きさ以上の力を受けて変形してしまう虞がある。この点、本発明では、第２の挿入部に補強部が設けられているので、この虞を軽減することができる。
＜把握例５＞
また、本発明の遊技機は、
前記第２の挿入部は複数設けられており、
前記補強部は、該複数の前記第２の挿入部を互いに連結するリブ部であり、
前記第２の被挿入部の開口部は、前記リブ部と該リブ部によって連結された複数の前記第２の挿入部とを受け入れ可能な形状を有している
こととしてもよい。
このような遊技機では、挿入部に複数の第２の挿入部を挿入するので、更に高い精度で第２の遊技部品の移動を第２の長さに制限することができる。また、リブ部を備えているので、これら複数の第２の挿入部が変形してしまう虞を軽減することができる。
＜把握例６＞
また、本発明の遊技機は、
前記第１移動制限手段の一部および前記第２移動制限手段の一部として、前記第１の遊技部品および前記第２の遊技部品のうち一方の遊技部品に設けられた挿入部を備え、
前記第１移動制限手段は、
前記挿入部に加え、前記第１の遊技部品および前記第２の遊技部品のうち前記一方の遊技部品と異なる遊技部品に設けられた第１の被挿入部を備え、
前記第２移動制限手段は、
前記挿入部に加え、前記第１の被挿入部よりも前記一方の遊技部品から離れた位置に設けられると共に前記第１の被挿入部に連通する第２の被挿入部を備え、
前記挿入部は、前記第１の被挿入部および前記第２の被挿入部に挿入されており、
前記第１の遊技部品に前記第２の遊技部品が取り付けられる前において、
前記第１の被挿入部に前記挿入部が挿入されている状態、且つ、前記第２の被挿入部に前記挿入部が挿入されていない状態では、前記第１の被挿入部の内壁と前記挿入部の外壁との間隔は第１の長さであり、
前記第１の被挿入部に前記挿入部が挿入されている状態、且つ、前記第２の被挿入部に前記挿入部が挿入されている状態では、前記第２の被挿入部の内壁と前記挿入部の外壁との間隔は前記第１の長さより短い第２の長さである
こととしてもよい。
このような遊技機では、第１の被挿入部に挿入部が挿入されている状態、且つ、第２の被挿入部に挿入部が挿入されていない状態では、第１の被挿入部の内壁と挿入部の外壁との間隔は第１の長さであるので、第１の遊技部品に対する第２の遊技部品の移動を第１の長さに制限することができる。これに対して、第１の被挿入部に挿入部が挿入されている状態、且つ、第２の被挿入部に挿入部が挿入されている状態では、第２の被挿入部の内壁と挿入部の外壁との間隔は第２の長さであるので、第１の遊技部品に対する第２の遊技部品の移動を第２の長さに制限することができる。
【産業上の利用可能性】
【０１４３】
本発明は、遊技ホールで用いられる遊技機に利用することができる。
【符号の説明】
【０１４４】
１…パチンコ機（遊技機）、２０…遊技盤（第１の遊技部品）、２０Ａ〜２０Ｆ…締結部位、２０１，２０２…遊技盤側挿入部（第２の挿入部）、２０３…遊技盤側被挿入部（第１の挿入部）、２０４…第１リブ部（補強部）、２０５…第２リブ部（補強部）、２１１…遊技盤側挿入部（第２の挿入部）、２１２…遊技盤側被挿入部（第１の被挿入部）、２１３…リブ部（補強部）、２２１，２２２…遊技盤側挿入部（第２の挿入部）、２２３…リブ部（補強部）、２３１…大径被挿入部（第１の被挿入部）、２３２…小径被挿入部（第２の被挿入部）、７０…裏ユニット（第２の遊技部品）、７０Ａ〜７０Ｆ…締結部位、７０１…裏ユニット側被挿入部（第２の被挿入部）、７０２…裏ユニット側挿入部（第１の挿入部）、７１１…裏ユニット側被挿入部（第２の被挿入部）、７１２…裏ユニット側挿入部（第１の挿入部）、７２１…裏ユニット側被挿入部（第２の被挿入部）、７３１…挿入部、７３２…ビス頭収納部。
【図１】
2018086318.tif 000003
【図２】
2018086318.tif 000004
【図３】
2018086318.tif 000005
【図４】
2018086318.tif 000006
【図５】
2018086318.tif 000007
【図６】
2018086318.tif 000008
【図７】
2018086318.tif 000009
【図８】
2018086318.tif 000010
【図９】
2018086318.tif 000011
【図１０】
2018086318.tif 000012
【図１１】
2018086318.tif 000013
【図１２】
2018086318.tif 000014
【図１３】
2018086318.tif 000015
【図１４】
2018086318.tif 000016
【図１５】
2018086318.tif 000017
【図１６】
2018086318.tif 000018